(57)【要約】【課題】表示されている広告に関連付けて、広告の効果が不十分であった。【解決手段】受信した中継識別情報に対応する広告情報を取得し、中継装置に送信するサーバ装置と、端末識別情報の受信に応じて中継識別情報をサーバ装置に送信し、当該中継識別情報の送信に応じて、サーバ装置から広告情報を受信し、当該受信した広告情報を携帯端末装置に送信する中継装置と、端末識別情報を中継装置に送信し、当該端末識別情報の送信に応じて、中継装置から広告情報を受信し、当該受信した広告情報を出力する携帯端末装置とを備える広告配信システムを構成するサーバ装置により、広告の効果を向上させることができる。【選択図】図１
2015090392.tif 000002
【特許請求の範囲】
【請求項１】
サーバ装置と、広告または広告の閲覧を促す補助広告が表示される媒体である１以上の広告表示媒体と、当該広告表示媒体の付近に設置される１以上の中継装置と、当該中継装置と通信を行う１以上の携帯端末装置とを備える広告配信システムを構成するサーバ装置であって、
前記サーバ装置は、
前記中継装置を識別する情報である中継識別情報と、前記携帯端末装置が表示し得る広告の情報である１以上の広告情報とが対応付いた情報である１以上の広告管理情報が格納される広告管理情報格納部と、
中継識別情報を、前記中継装置から受信する受信部と、
前記受信部が受信した中継識別情報に対応する広告情報を、前記広告管理情報格納部から取得する広告情報取得部と、
前記広告情報取得部が取得した広告情報を、前記受信部が受信した中継識別情報により識別される中継装置に送信する送信部とを備え、
前記中継装置は、
中継識別情報が格納される中継識別情報格納部と、
前記携帯端末装置から、携帯端末装置を識別する情報である端末識別情報を受信し、かつ、中継識別情報の送信に応じて、前記サーバ装置から、広告情報を受信する中継受信部と、
前記中継受信部による端末識別情報の受信に応じて、前記中継識別情報格納部に格納されている中継識別情報を、前記サーバ装置に送信し、かつ、前記中継受信部が受信した広告情報を、前記端末識別情報を送信した携帯端末装置に送信する中継送信部とを備え、
前記携帯端末装置は、
端末識別情報が格納される端末識別情報格納部と、
前記端末識別情報を、前記中継装置に送信する端末送信部と、
前記端末送信部による端末識別情報の送信に応じて、前記中継装置から、広告情報を受信する端末受信部と、
前記端末受信部が受信した広告情報を出力する端末出力部とを備え、
前記広告表示媒体において表示される広告または補助広告と、前記携帯端末装置において表示される広告とは関連している広告配信システムを構成するサーバ装置。
【請求項２】
前記広告表示媒体は、広告または補助広告を表示する表示装置であり、
前記１以上の各中継装置は、１以上の表示装置と対応付いており、
前記広告管理情報は、広告または補助広告の情報である表示広告情報を有し、
前記広告情報取得部は、
前記受信部が受信した中継識別情報に対応する表示広告情報を、前記広告管理情報格納部から取得し、
前記送信部は、
前記広告情報取得部が取得した表示広告情報を、前記受信部が受信した中継識別情報により識別される中継装置に送信し、
前記中継受信部は、
前記サーバ装置から、表示広告情報を受信し、
前記中継送信部は、
前記中継識別情報格納部に格納されている中継識別情報を、前記サーバ装置に送信し、かつ、前記中継受信部が受信した表示広告情報を、対応する表示装置に送信し、
前記表示装置は、
対応する中継装置から表示広告情報を受信する表示受信部と、
前記表示受信部が受信した表示広告情報を出力する表示出力部とを備える請求項１記載の広告配信システムを構成するサーバ装置。
【請求項３】
前記中継送信部は、
前記中継受信部による端末識別情報の受信に応じて、当該端末識別情報と前記中継識別情報格納部に格納されている中継識別情報とを、前記サーバ装置に送信し、
前記受信部は、
端末識別情報と中継識別情報とを、前記中継装置から受信し、
前記広告管理情報は、広告に対応する場所である訪問場所に設置されている中継装置を識別する情報である訪問場所情報をさらに有し、
前記サーバ装置は、
端末識別情報と、訪問場所情報とが対応付いた情報である１以上の訪問管理情報が格納される訪問管理情報格納部と、
前記広告情報取得部が、前記受信部が受信した中継識別情報に対応する広告情報を取得した場合に、前記受信部が受信した中継識別情報に対応する訪問場所情報を、前記広告管理情報格納部から取得し、前記受信部が受信した端末識別情報と当該取得した訪問場所情報とが対応付いた訪問管理情報を、前記訪問管理情報格納部に蓄積する訪問管理情報蓄積部と、
前記受信部が受信した端末識別情報に対応する訪問場所情報を、前記訪問管理情報格納部から取得し、当該取得した訪問場所情報と前記受信部が受信した中継識別情報とが対応するか否かを判断し、当該判断の結果を示す情報である訪問判断結果情報を取得する訪問判断部と、
前記訪問判断結果情報を用いた処理を行う処理部とをさらに備える請求項１または請求項２記載の広告配信システムを構成するサーバ装置。
【請求項４】
前記訪問管理情報は、時刻を示す情報である時刻情報を有し、
前記サーバ装置は、
時刻情報を取得する時刻情報取得部をさらに備え、
前記訪問管理情報蓄積部は、
前記広告情報取得部が、前記受信部が受信した中継識別情報に対応する広告情報を取得した場合に、前記受信部が受信した中継識別情報に対応する訪問場所情報を、前記広告管理情報格納部から取得し、前記受信部が受信した端末識別情報と当該取得した訪問場所情報と前記時刻情報取得部が取得した時刻情報とが対応付いた訪問管理情報を、前記訪問管理情報格納部に蓄積し、
前記訪問判断部は、
前記受信部が受信した端末識別情報および中継識別情報に対応する時刻情報を、前記訪問管理情報格納部から取得し、当該取得した時刻情報と前記時刻情報取得部が取得した時刻情報とを用いて、携帯端末装置が広告情報を受信した時刻から、携帯端末装置を所持しているユーザが訪問場所を訪問した時刻までの時間を示す時間情報を算出し、当該時間情報が予め決められた条件を満たすか否かを判断し、当該判断の結果を示す訪問判断結果情報を取得する請求項３記載の広告配信システムを構成するサーバ装置。
【請求項５】
前記中継送信部は、
前記中継受信部による端末識別情報の受信に応じて、当該端末識別情報と前記中継識別情報格納部に格納されている中継識別情報とを、前記サーバ装置に送信し、
前記受信部は、
端末識別情報と中継識別情報とを、前記中継装置から受信し、
前記サーバ装置は、
端末識別情報と、２以上の中継識別情報を有する情報である１以上の経路情報とが格納される経路情報格納部と、
前記受信部が受信した２以上の中継識別情報を有する経路情報を、前記受信部が受信した端末識別情報と対応付けて前記経路情報格納部に蓄積する経路情報蓄積部とをさらに備え、
前記サーバ装置は、
前記経路情報を用いた処理を行う請求項１から請求項４いずれか一項に記載の広告配信システムを構成するサーバ装置。
【請求項６】
前記中継送信部は、
前記中継受信部による端末識別情報の受信に応じて、当該端末識別情報と前記中継識別情報格納部に格納されている中継識別情報とを、前記サーバ装置に送信し、
前記受信部は、
端末識別情報と中継識別情報とを、前記中継装置から受信し、
前記サーバ装置は、
端末識別情報と、当該端末識別情報により識別される携帯端末装置に広告情報が送信された回数である送信回数とが対応付いた情報である１以上の送信回数管理情報が格納される送信回数管理情報格納部と、
前記送信部により広告情報が送信された中継装置から送信された端末識別情報により識別される携帯端末装置に広告情報が送信された回数である送信回数を取得し、当該端末識別情報と、当該送信回数とが対応付いた送信回数管理情報を、前記送信回数管理情報格納部に蓄積する送信回数管理情報蓄積部とをさらに備え、
前記サーバ装置は、
前記送信回数管理情報を用いた処理を行う請求項１から請求項５いずれか一項に記載の広告配信システムを構成するサーバ装置。
【請求項７】
前記広告情報は、広告情報を識別する情報である広告識別情報を有し、
前記送信回数管理情報は、広告識別情報をさらに有し、
前記送信回数管理情報蓄積部は、
前記送信部により中継装置に送信された広告情報が有する広告識別情報と、当該広告情報が送信された中継装置から送信された端末識別情報により識別される携帯端末装置に当該広告情報が送信された回数である送信回数とを取得し、当該端末識別情報と、当該広告識別情報と、当該送信回数とが対応付いた送信回数管理情報を、前記送信回数管理情報格納部に蓄積する請求項６記載の広告配信システムを構成するサーバ装置。
【請求項８】
前記広告管理情報は、中継識別情報と、送信回数に関する条件である１以上の送信回数条件と、当該１以上の各送信回数条件に対応する広告情報とが対応付いた情報であり、
前記広告情報取得部は、
前記受信部が受信した端末識別情報に対応する送信回数を、前記送信回数管理情報格納部から取得し、前記受信部が受信した中継識別情報に対応し、かつ、当該取得した送信回数が合致する送信回数条件に対応する広告情報を、前記広告管理情報格納部から取得する請求項６または請求項７記載の広告配信システムを構成するサーバ装置。
【請求項９】
前記広告管理情報は、広告に対応する訪問場所を示す情報であり、当該訪問場所に設置されている中継装置を識別する情報である訪問場所情報をさらに有し、
前記サーバ装置は、
端末識別情報と、当該端末識別情報により識別される携帯端末装置に送信された広告情報により示される広告に対応する訪問場所に当該携帯端末装置が存在した回数である訪問回数とが対応付いた情報である１以上の訪問回数管理情報が格納される訪問回数管理情報格納部と、
前記受信部が受信した端末識別情報と、広告管理情報が有する訪問場所情報であり、前記受信部が受信した中継識別情報に対応する訪問場所情報が示す場所に、当該端末識別情報により識別される携帯端末装置が存在した回数である訪問回数とが対応付いた訪問回数管理情報を、前記訪問回数管理情報格納部に蓄積する訪問回数管理情報蓄積部と、
前記送信回数管理情報が有する送信回数および前記訪問回数管理情報が有する訪問回数であり、同一の端末識別情報が対応付いた送信回数および訪問回数を用いて、広告情報を送信した回数に対する、当該広告情報により示される広告に対応する訪問場所に訪問した回数の割合であるコンバージョン率を算出するコンバージョン率算出部をさらに備え、
前記サーバ装置は、
前記コンバージョン率を用いた処理を行う請求項６から請求項８いずれか一項に記載の広告配信システムを構成するサーバ装置。
【請求項１０】
前記中継装置は、無線ＬＡＮのアクセスポイントである請求項１から請求項９いずれか一項に記載の広告配信システムを構成するサーバ装置。
【請求項１１】
中継装置を識別する情報である中継識別情報と、携帯端末装置が表示し得る広告の情報である１以上の広告情報とが対応付いた情報である１以上の広告管理情報が格納される広告管理情報格納部と、
受信部と、広告情報取得部と、送信部とを用いて行われる広告配信方法であって、
前記受信部が、
中継識別情報を、中継装置から受信する受信ステップと、
前記広告情報取得部が、
前記受信部が受信した中継識別情報に対応する広告情報を、前記広告管理情報格納部から取得する広告情報取得ステップと、
前記送信部が、
前記広告情報取得部が取得した広告情報を、前記受信部が受信した中継識別情報により識別される中継装置に送信する送信ステップとを備える広告配信方法。
【請求項１２】
中継装置を識別する情報である中継識別情報と、携帯端末装置が表示し得る広告の情報である１以上の広告情報とが対応付いた情報である１以上の広告管理情報が格納される広告管理情報格納部にアクセス可能なコンピュータを、
中継識別情報を、中継装置から受信する受信部と、
前記受信部が受信した中継識別情報に対応する広告情報を、前記広告管理情報格納部から取得する広告情報取得部と、
前記広告情報取得部が取得した広告情報を、前記受信部が受信した中継識別情報により識別される中継装置に送信する送信部として機能させるためのプログラム。
【発明の詳細な説明】
【技術分野】
【０００１】
本発明は、広告を配信するサーバ装置等に関するものである。
【背景技術】
【０００２】
従来、いわゆるデジタルサイネージ向けのディスプレイ等が開発されている（非特許文献１参照）。
【先行技術文献】
【非特許文献】
【０００３】
【非特許文献１】"デジタルサイネージモデル：ディスプレイ"、［online］、ＮＥＣディスプレイソリューションズ株式会社、［２０１３年１０月１０日検索］、インターネット［URL；http://www.nec-display.com/jp/display/digitalsignage/index.html］
【発明の概要】
【発明が解決しようとする課題】
【０００４】
従来のデジタルサイネージ向けのディスプレイ等の広告表示媒体では、広告の効果が不十分であった。
【課題を解決するための手段】
【０００５】
本第一の発明のサーバ装置は、サーバ装置と、広告または広告の閲覧を促す補助広告が表示される媒体である１以上の広告表示媒体と、広告表示媒体の付近に設置される１以上の中継装置と、中継装置と通信を行う１以上の携帯端末装置とを備える広告配信システムを構成するサーバ装置であって、サーバ装置は、中継装置を識別する情報である中継識別情報と、携帯端末装置が表示し得る広告の情報である１以上の広告情報とが対応付いた情報である１以上の広告管理情報が格納される広告管理情報格納部と、中継識別情報を、中継装置から受信する受信部と、受信部が受信した中継識別情報に対応する広告情報を、広告管理情報格納部から取得する広告情報取得部と、広告情報取得部が取得した広告情報を、受信部が受信した中継識別情報により識別される中継装置に送信する送信部とを備え、中継装置は、中継識別情報が格納される中継識別情報格納部と、携帯端末装置から、携帯端末装置を識別する情報である端末識別情報を受信し、かつ、中継識別情報の送信に応じて、サーバ装置から、広告情報を受信する中継受信部と、中継受信部による端末識別情報の受信に応じて、中継識別情報格納部に格納されている中継識別情報を、サーバ装置に送信し、かつ、中継受信部が受信した広告情報を、端末識別情報を送信した携帯端末装置に送信する中継送信部とを備え、携帯端末装置は、端末識別情報が格納される端末識別情報格納部と、端末識別情報を、中継装置に送信する端末送信部と、端末送信部による端末識別情報の送信に応じて、中継装置から、広告情報を受信する端末受信部と、端末受信部が受信した広告情報を出力する端末出力部とを備え、広告表示媒体において表示される広告または補助広告と、携帯端末装置において表示される広告とは関連している広告配信システムを構成するサーバ装置である。
【０００６】
このような構成により、広告表示媒体と携帯端末装置とを用いて、広告の効果を向上させることができる。
【０００７】
また、本第二の発明のサーバ装置は、第一の発明に対して、広告表示媒体は、広告または補助広告を表示する表示装置であり、１以上の各中継装置は、１以上の表示装置と対応付いており、広告管理情報は、広告または補助広告の情報である表示広告情報を有し、広告情報取得部は、受信部が受信した中継識別情報に対応する表示広告情報を、広告管理情報格納部から取得し、送信部は、広告情報取得部が取得した表示広告情報を、受信部が受信した中継識別情報により識別される中継装置に送信し、中継受信部は、サーバ装置から、表示広告情報を受信し、中継送信部は、中継識別情報格納部に格納されている中継識別情報を、サーバ装置に送信し、かつ、中継受信部が受信した表示広告情報を、対応する表示装置に送信し、表示装置は、対応する中継装置から表示広告情報を受信する表示受信部と、表示受信部が受信した表示広告情報を出力する表示出力部とを備える広告配信システムを構成するサーバ装置である。
【０００８】
このような構成により、表示装置と携帯端末装置とを用いて、広告の効果を向上させることができる。
【０００９】
また、本第三の発明のサーバ装置は、第一または第二の発明に対して、中継送信部は、中継受信部による端末識別情報の受信に応じて、端末識別情報と中継識別情報格納部に格納されている中継識別情報とを、サーバ装置に送信し、受信部は、端末識別情報と中継識別情報とを、中継装置から受信し、広告管理情報は、広告に対応する場所である訪問場所に設置されている中継装置を識別する情報である訪問場所情報をさらに有し、サーバ装置は、端末識別情報と、訪問場所情報とが対応付いた情報である１以上の訪問管理情報が格納される訪問管理情報格納部と、広告情報取得部が、受信部が受信した中継識別情報に対応する広告情報を取得した場合に、受信部が受信した中継識別情報に対応する訪問場所情報を、広告管理情報格納部から取得し、受信部が受信した端末識別情報と取得した訪問場所情報とが対応付いた訪問管理情報を、訪問管理情報格納部に蓄積する訪問管理情報蓄積部と、受信部が受信した端末識別情報に対応する訪問場所情報を、訪問管理情報格納部から取得し、取得した訪問場所情報と受信部が受信した中継識別情報とが対応するか否かを判断し、判断の結果を示す情報である訪問判断結果情報を取得する訪問判断部と、訪問判断結果情報を用いた処理を行う処理部とをさらに備える広告配信システムを構成するサーバ装置である。
【００１０】
このような構成により、広告の効果を判断することができる。
【００１１】
また、本第四の発明のサーバ装置は、第三の発明に対して、訪問管理情報は、時刻を示す情報である時刻情報を有し、サーバ装置は、時刻情報を取得する時刻情報取得部をさらに備え、訪問管理情報蓄積部は、広告情報取得部が、受信部が受信した中継識別情報に対応する広告情報を取得した場合に、受信部が受信した中継識別情報に対応する訪問場所情報を、広告管理情報格納部から取得し、受信部が受信した端末識別情報と取得した訪問場所情報と時刻情報取得部が取得した時刻情報とが対応付いた訪問管理情報を、訪問管理情報格納部に蓄積し、訪問判断部は、受信部が受信した端末識別情報および中継識別情報に対応する時刻情報を、訪問管理情報格納部から取得し、取得した時刻情報と時刻情報取得部が取得した時刻情報とを用いて、携帯端末装置が広告情報を受信した時刻から、携帯端末装置を所持しているユーザが訪問場所を訪問した時刻までの時間を示す時間情報を算出し、時間情報が予め決められた条件を満たすか否かを判断し、判断の結果を示す訪問判断結果情報を取得する広告配信システムを構成するサーバ装置である。
【００１２】
このような構成により、広告の効果を精度良く判断することができる。
【００１３】
また、本第五の発明のサーバ装置は、第一から第四いずれか１つの発明に対して、中継送信部は、中継受信部による端末識別情報の受信に応じて、端末識別情報と中継識別情報格納部に格納されている中継識別情報とを、サーバ装置に送信し、受信部は、端末識別情報と中継識別情報とを、中継装置から受信し、サーバ装置は、端末識別情報と、２以上の中継識別情報を有する情報である１以上の経路情報とが格納される経路情報格納部と、受信部が受信した２以上の中継識別情報を有する経路情報を、受信部が受信した端末識別情報と対応付けて経路情報格納部に蓄積する経路情報蓄積部とをさらに備え、サーバ装置は、経路情報を用いた処理を行う広告配信システムを構成するサーバ装置である。
【００１４】
このような構成により、ユーザが訪問場所を訪問するまでの経路を把握し、利用することができる。
【００１５】
また、本第六の発明のサーバ装置は、第一から第五いずれか１つの発明に対して、中継送信部は、中継受信部による端末識別情報の受信に応じて、端末識別情報と中継識別情報格納部に格納されている中継識別情報とを、サーバ装置に送信し、受信部は、端末識別情報と中継識別情報とを、中継装置から受信し、サーバ装置は、端末識別情報と、端末識別情報により識別される携帯端末装置に広告情報が送信された回数である送信回数とが対応付いた情報である１以上の送信回数管理情報が格納される送信回数管理情報格納部と、送信部により広告情報が送信された中継装置から送信された端末識別情報により識別される携帯端末装置に広告情報が送信された回数である送信回数を取得し、端末識別情報と、送信回数とが対応付いた送信回数管理情報を、送信回数管理情報格納部に蓄積する送信回数管理情報蓄積部とをさらに備え、サーバ装置は、送信回数管理情報を用いた処理を行う広告配信システムを構成するサーバ装置である。
【００１６】
このような構成により、ユーザに広告を配信した回数を把握し、利用することができる。
【００１７】
また、本第七の発明のサーバ装置は、第六の発明に対して、広告情報は、広告情報を識別する情報である広告識別情報を有し、送信回数管理情報は、広告識別情報をさらに有し、送信回数管理情報蓄積部は、送信部により中継装置に送信された広告情報が有する広告識別情報と、広告情報が送信された中継装置から送信された端末識別情報により識別される携帯端末装置に広告情報が送信された回数である送信回数とを取得し、端末識別情報と、広告識別情報と、送信回数とが対応付いた送信回数管理情報を、送信回数管理情報格納部に蓄積する広告配信システムを構成するサーバ装置である。
【００１８】
このような構成により、ユーザに配信した広告およびその回数を把握し、利用することができる。
【００１９】
また、本第八の発明のサーバ装置は、第六または第七の発明に対して、広告管理情報は、中継識別情報と、送信回数に関する条件である１以上の送信回数条件と、１以上の各送信回数条件に対応する広告情報とが対応付いた情報であり、広告情報取得部は、受信部が受信した端末識別情報に対応する送信回数を、送信回数管理情報格納部から取得し、受信部が受信した中継識別情報に対応し、かつ、取得した送信回数が合致する送信回数条件に対応する広告情報を、広告管理情報格納部から取得する広告配信システムを構成するサーバ装置である。
【００２０】
このような構成により、広告の効果をさらに向上させることができる。
【００２１】
また、本第九の発明のサーバ装置は、第六から第八いずれか１つの発明に対して、広告管理情報は、広告に対応する訪問場所を示す情報であり、訪問場所に設置されている中継装置を識別する情報である訪問場所情報をさらに有し、サーバ装置は、端末識別情報と、端末識別情報により識別される携帯端末装置に送信された広告情報により示される広告に対応する訪問場所に携帯端末装置が存在した回数である訪問回数とが対応付いた情報である１以上の訪問回数管理情報が格納される訪問回数管理情報格納部と、受信部が受信した端末識別情報と、広告管理情報が有する訪問場所情報であり、受信部が受信した中継識別情報に対応する訪問場所情報が示す場所に、端末識別情報により識別される携帯端末装置が存在した回数である訪問回数とが対応付いた訪問回数管理情報を、訪問回数管理情報格納部に蓄積する訪問回数管理情報蓄積部と、送信回数管理情報が有する送信回数および訪問回数管理情報が有する訪問回数であり、同一の端末識別情報が対応付いた送信回数および訪問回数を用いて、広告情報を送信した回数に対する、広告情報により示される広告に対応する訪問場所に訪問した回数の割合であるコンバージョン率を算出するコンバージョン率算出部をさらに備え、サーバ装置は、コンバージョン率を用いた処理を行う広告配信システムを構成するサーバ装置である。
【００２２】
このような構成により、コンバージョン率を算出することにより広告の効果を把握することができる。
【００２３】
また、本第十の発明のサーバ装置は、第一から第九いずれか１つの発明に対して、中継装置は、無線ＬＡＮのアクセスポイントである広告配信システムを構成するサーバ装置である。
【００２４】
このような構成により、無線ＬＡＮのアクセスポイントを用いて、広告の効果を向上させることができる。
【発明の効果】
【００２５】
本発明によるサーバ装置等によれば、広告の効果を向上させることができる。
【図面の簡単な説明】
【００２６】
【図１】実施の形態１における広告配信システム１の概念図
【図２】同サーバ装置１１のブロック図
【図３】同中継装置１２、携帯端末装置１３、表示装置１４のブロック図
【図４】同サーバ装置１１の全体動作について説明するフローチャート
【図５】同訪問場所を訪問したか否かの判断処理について説明するフローチャート
【図６】同中継装置１２の全体動作について説明するフローチャート
【図７】同携帯端末装置１３の全体動作について説明するフローチャート
【図８】同表示装置１４の全体動作について説明するフローチャート
【図９】同広告管理情報の例を示す図
【図１０】同訪問管理情報の例を示す図
【図１１】同送信回数管理情報の例を示す図
【図１２】同経路情報の例を示す図
【図１３】同訪問回数管理情報の例を示す図
【図１４】同広告情報と表示広告情報の出力例を示す図
【図１５】同広告管理情報の例を示す図
【図１６】同移動しながら広告情報を受信する例を示す図
【図１７】上記実施の形態におけるコンピュータシステムの概観図
【図１８】上記実施の形態におけるコンピュータシステムのブロック図
【発明を実施するための形態】
【００２７】
以下、本発明によるサーバ装置等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００２８】
（実施の形態１）
本実施の形態において、サーバ装置１１と、１以上の中継装置１２と、１以上の携帯端末装置１３と、１以上の表示装置１４とを備える広告配信システム１について説明する。サーバ装置１１は、中継装置１２から受信した中継識別情報に応じて広告情報を取得し、当該広告情報を、中継識別情報を送信した中継装置１２に送信する。また、中継装置１２は、携帯端末装置１３からの端末識別情報の受信に応じて、中継識別情報をサーバ装置に送信する。また、中継装置１２は、当該中継識別情報の送信に応じて、広告情報をサーバ装置１１から受信する。また、中継装置１２は、当該受信した広告情報を、携帯端末装置１３または表示装置１４に送信する。また、携帯端末装置１３は、端末識別情報の送信に応じて、広告情報を中継装置１２から受信する。また、携帯端末装置１３は、受信した広告情報を出力する。また、表示装置１４は、受信した広告情報を出力する。
【００２９】
図１は、本実施の形態における広告配信システム１の概念図である。図１において、サーバ装置１１と、１以上の中継装置１２とは、通信手段１５を介して通信が可能である。また、図１において、１以上の中継装置１２と、１以上の携帯端末装置１３とは、通信手段１６を介して通信が可能である。また、図１において、１以上の中継装置１２と、１以上の表示装置１４とは、通信手段１６を介して通信が可能である。中継装置１２は、例えば、いわゆる無線ＬＡＮのアクセスポイントである。また、携帯端末装置１３は、例えば、携帯電話や、タブレット型ＰＣ、ＰＤＡなどである。また、表示装置１４は、通常、いわゆるサイネージディスプレイである。また、通信手段１５は、例えば、無線または有線の通信回線であり、例えば、インターネットやイントラネット、ＬＡＮ（Ｌｏｃａｌ  Ａｒｅａ  Ｎｅｔｗｏｒｋ）、公衆電話回線網などである。また、通信手段１６は、例えば、いわゆるＷｉ−Ｆｉ（登録商標）や、Ｂｌｕｅｔｏｏｔｈ（登録商標）、赤外線通信、非接触通信などの、近距離（短距離）無線通信である。また、通信手段１６は、通常、いわゆる無線ＬＡＮであることが好適である。
【００３０】
また、１以上の中継装置１２が設置されている場所は、問わない。１以上の各中継装置１２は、例えば、広告または広告の閲覧を促す補助広告が表示される媒体である広告表示媒体の付近や、広告に関連する場所である訪問場所、その他、街中の歩道や広場などに設置される。補助広告は、例えば、無線ＬＡＮのアクセスポイント（中継装置１２）に接続するためのＳＳＩＤが記載されている広告、無線ＬＡＮのアクセスポイントに接続する旨が記載されている広告などである。また、広告表示媒体は、例えば、サイネージディスプレイや、パネル、ポスター、看板などである。パネル、ポスター、看板などの材質は、問わない。また、中継装置１２が広告表媒体の付近に設置されていることは、言い換えると、広告表示媒体が中継装置１２の付近に設置されていることである。当該「付近」とは、例えば、中継装置１２と広告表示媒体との距離が予め決められた条件を満たすほど近いことや、中継装置１２が発信している無線通信用の電波が受信可能なエリア（いわゆる通信可能エリア）内に広告表示媒体が設置されていることなどである。
【００３１】
また、携帯端末装置１３は、通常、ユーザが所持している。また、携帯端末装置１３は、通常、付近の中継装置１２と通信を行う。当該付近とは、例えば、中継装置１２と携帯端末装置１３との距離が予め決められた条件を満たすほど近いことや、中継装置１２が発信している無線通信用の電波が受信可能なエリア（いわゆる通信可能エリア）内に携帯端末装置１３が存在することなどである。
【００３２】
また、表示装置１４は、広告表示媒体の一種である。また、表示装置１４は、通常、１以上の中継装置１２と対応付いている。言い換えると、１以上の中継装置１２のうちのいくつかは、表示装置１４と対応付いている。なお、当該対応付いているとは、通常、中継装置１２と表示装置１４とが通信可能な状態にあることを意味する。
【００３３】
また、図２は、本実施の形態におけるサーバ装置１１のブロック図である。サーバ装置１１は、広告管理情報格納部１１０１、訪問管理情報格納部１１０２、経路情報格納部１１０３、送信回数管理情報格納部１１０４、訪問回数管理情報格納部１１０５、時刻情報取得部１１０６、受信部１１０７、広告情報取得部１１０８、訪問管理情報蓄積部１１０９、訪問判断部１１１０、経路情報蓄積部１１１１、送信回数管理情報蓄積部１１１２、訪問回数管理情報蓄積部１１１３、コンバージョン率算出部１１１４、送信部１１１５、処理部１１１６を備える。
【００３４】
また、図３は、本実施の形態における中継装置１２、携帯端末装置１３、表示装置１４のブロック図である。中継装置１２は、中継識別情報格納部１２０１、中継受信部１２０２、中継送信部１２０３を備える。また、携帯端末装置１３は、端末識別情報格納部１３０１、端末送信部１３０２、端末受信部１３０３、端末出力部１３０４を備える。また、表示装置１４は、表示受信部１４０１、表示出力部１４０２を備える。
【００３５】
広告管理情報格納部１１０１には、中継識別情報と広告情報とが対応付いた情報である１以上の広告管理情報が格納される。
【００３６】
中継識別情報とは、中継装置１２を識別する情報である。中継識別情報は、例えば、ＩＰアドレスや、ＭＡＣアドレス、ＳＳＩＤ、位置情報、中継装置１２が設置されている場所の名称などである。また、位置情報とは、位置を示す情報である。当該位置は、通常、経緯度である。また、当該位置には、例えば、高さ（高度）が含まれてもよい。また、場所の名称とは、例えば、店舗名や、建物名、駅名などである。また、場所の名称は、例えば、ＳＳＩＤにより示されてもよい。
【００３７】
また、広告情報とは、広告の情報である。また、広告情報は、通常、携帯端末装置１３が表示し得る広告の情報である。また、広告情報は、広告の電子データである。広告の電子データとは、例えば、画像や、文字、その他の形式のファイルなどである。また、広告情報は、例えば、広告情報を識別する情報である広告識別情報を有していてもよい。広告識別情報は、例えば、いわゆるＩＤや、任意の文字列、ファイル名などである。また、広告管理情報が有する広告情報の数は、例えば、１以上であってもよい。
【００３８】
また、広告管理情報は、例えば、表示広告情報を有していてもよい。表示広告情報とは、広告または補助広告の情報である。また、表示広告情報は、通常、表示装置１４が表示し得る広告または補助広告の情報である。また、表示広告情報は、広告または補助広告の電子データである。広告または補助広告の電子データとは、例えば、画像や、文字、その他の形式のファイルなどである。
【００３９】
また、広告管理情報が表示広告情報と広告情報とを有する場合、当該表示広告情報により示される広告または補助広告（以下、適宜、表示広告とする）と、当該広告情報により示される広告（以下、適宜、携帯広告とする）とは、関連していることが好適である。表示広告と携帯広告とが関連するとは、通常、宣伝広告の対象が同一であることである。また、この場合、携帯広告は、例えば、表示広告と同一の広告や、表示広告を縮小した広告、表示広告の一部分を示す広告、表示広告を発行している企業のイメージ図（ロゴマーク、販売している商品の写真など）などである。
【００４０】
また、広告管理情報は、例えば、訪問場所情報を有していてもよい。訪問場所情報とは、広告情報により示される広告に対応する場所（以下、適宜、訪問場所とする）を示す情報である。訪問場所は、例えば、広告に関連する場所や、広告の対象となる場所、広告に示されている場所などを含み、広く解する。また、訪問場所は、例えば、広告に関連する店舗（飲食店や、スーパーマーケットなど）、イベント会場などである。また、訪問場所情報は、具体的には、訪問場所に設置されている中継装置１２を識別する情報である。つまり、訪問場所情報は、例えば、ＩＰアドレスや、ＭＡＣアドレス、ＳＳＩＤ、位置情報、中継装置１２が設置されている場所の名称などである。
【００４１】
また、広告管理情報は、例えば、１以上の送信回数条件と、１以上の広告情報とを有していてもよい。この場合、広告管理情報は、通常、１つの中継識別情報と、１以上の送信回数条件と、当該１以上の各送信条件に対応する１つの広告情報とが対応付いた情報であることが好適である。また、送信回数条件とは、広告情報が携帯端末装置１３に送信された回数である送信回数に関する条件である。つまり、１つの送信回数条件に対応付いている１つの広告情報は、通常、送信回数に応じて携帯端末装置１３に送信される広告情報である。
【００４２】
訪問管理情報格納部１１０２には、端末識別情報と訪問場所情報とが対応付いた情報である１以上の訪問管理情報が格納される。端末識別情報とは、携帯端末装置１３を識別する情報である。端末識別情報は、例えば、ＭＡＣアドレスや、ＩＰアドレス、製造番号、シリアルナンバー、個体識別情報（ＵＩＤ）などである。
【００４３】
また、訪問管理情報は、例えば、時刻情報を有していてもよい。時刻情報とは、時刻を示す情報である。また、当該時刻は、例えば、日時であってもよい。つまり、時刻情報は、日時を示す情報であってもよい。また、訪問管理情報が有する時刻情報は、通常、携帯端末装置１３が広告情報を受信した時刻である。また、当該携帯端末装置１３が広告情報を受信した時刻は、例えば、後述の広告情報取得部１１０８が広告情報を取得した時刻、携帯端末装置１３に広告情報が送信された時刻、携帯端末装置１３に広告情報を送信する中継装置１２に広告情報が送信された時刻などと考えてもよい。また、訪問管理情報が有する時刻情報を、以下、適宜、広告受信時刻情報とする。
【００４４】
経路情報格納部１１０３には、２以上の中継識別情報を有する情報である１以上の経路情報が格納される。当該中継識別情報は、例えば、位置情報であることが好適である。また、当該２以上の中継識別情報は、例えば、１以上であってもよい。また、経路情報には、通常、端末識別情報が対応付いている。つまり、経路情報は、経路情報に対応付いている端末識別情報により識別される携帯端末装置１３が移動した経路を示す情報である。言い換えると、経路情報は、経路情報に対応付いている端末識別情報により識別される携帯端末装置１３を所持しているユーザが移動した経路を示す情報である。
【００４５】
また、経路情報が有する１以上の中継識別情報は、通常、順序を有する。当該順序は、通常、経路情報格納部１１０３に蓄積された順序である。また、順序を有するとは、例えば、順序を示す情報が対応付いていることであってもよい。つまり、経路情報が示す経路は、通常、経路情報が有する１以上の中継識別情報およびその順序により示される。また、当該順序は、例えば、時刻情報が示す時刻により示されてもよい。つまり、経路情報は、時刻情報を有していてもよい。また、この場合、当該時刻情報は、通常、経路情報が有する各中継識別情報に対応付いている。
【００４６】
送信回数管理情報格納部１１０４には、端末識別情報と送信回数とが対応付いた情報である１以上の送信回数管理情報が格納される。当該送信回数は、当該端末識別情報により識別される携帯端末装置１３に広告情報が送信された回数である。
【００４７】
また、送信回数管理情報は、例えば、１以上の広告識別情報を有していてもよい。この場合、送信回数管理情報は、通常、１つの端末識別情報と、１以上の広告識別情報と、当該１以上の各広告識別情報に対応する１つの送信回数とが対応付いた情報であることが好適である。また、当該送信回数管理情報が有する１以上の各送信回数は、当該送信回数管理情報が有する端末識別情報により識別される携帯端末装置１３に、１以上の各広告情報が送信された回数である。
【００４８】
訪問回数管理情報格納部１１０５には、端末識別情報と訪問回数とが対応付いた情報である１以上の訪問回数管理情報が格納される。訪問回数とは、訪問場所に携帯端末装置１３が存在した回数である。言い換えると、訪問回数とは、携帯端末装置１３を所持しているユーザが訪問場所を訪れた回数である。また、当該訪問回数は、対応付いている端末識別情報により識別される携帯端末装置１３に送信された広告情報により示される広告に関連する訪問場所に、当該携帯端末装置１３が存在した回数である。
【００４９】
また、訪問回数管理情報は、例えば、１以上の訪問場所情報を有していてもよい。この場合、訪問回数管理情報は、通常、１つの端末識別情報と、１以上の訪問場所情報と、当該１以上の各訪問場所情報に対応する１つの訪問回数とが対応付いた情報であることが好適である。また、当該訪問回数管理情報が有する１以上の各訪問回数は、当該送信回数管理情報が有する端末識別情報により識別される携帯端末装置１３を所持しているユーザが、１以上の各訪問場所を訪問した回数である。
【００５０】
時刻情報取得部１１０６は、時刻情報を取得する。当該時刻情報は、通常、現在の時刻を示す時刻情報である。また、当該時刻情報は、日時を示す情報であってもよい。また、時刻情報取得部１１０６は、通常、定期的に時刻情報を取得する。また、時刻情報を取得する方法や手順などは、問わない。時刻情報取得部１１０６は、通常、いわゆる時計や、いわゆるＮＴＰサーバ、現在時刻情報を出力するプログラムなどから、時刻情報を取得する。この場合、時刻情報取得部１１０６は、これらの装置を有していてもよいし、これらの装置で実現され得てもよい。また、時刻情報取得部１１０６の処理手順は、通常、ソフトウェアで実現され、当該ソフトウェアはＲＯＭ等の記録媒体に記録されている。
【００５１】
また、例えば、後述の受信部１１０７が時刻情報を受信する場合、時刻情報取得部１１０６は、当該時刻情報を取得してもよい。当該時刻情報は、例えば、中継装置１２が取得した時刻情報であってもよいし、携帯端末装置１３が取得した時刻情報であってもよい。
【００５２】
受信部１１０７は、通常、中継識別情報、または、端末識別情報と中継識別情報とを中継装置１２から受信する。
【００５３】
広告情報取得部１１０８は、広告管理情報格納部１１０１から広告情報を取得する。広告情報取得部１１０８は、例えば、受信部１１０７が受信した中継識別情報（以下、適宜、受信中継識別情報とする）に対応する広告情報を取得する。受信中継識別情報に対応する広告情報とは、具体的には、受信中継識別情報に対応する中継識別情報に対応付いている広告情報である。また、受信中継識別情報に対応する中継識別情報とは、例えば、受信中継識別情報と同一の中継識別情報や、受信中継識別情報を含む中継識別情報、受信中継識別情報に含まれる中継識別情報などである。
【００５４】
また、広告情報取得部１１０８は、例えば、受信中継識別情報に対応し、かつ、送信回数が合致する送信回数条件に対応する広告情報を取得してもよい。この場合、広告情報取得部１１０８は、まず、受信部１１０７が受信した端末識別情報（以下、適宜、受信端末識別情報とする）に対応する送信回数を、送信回数管理情報格納部１１０４から取得する。受信端末識別情報に対応する送信回数とは、具体的には、受信端末識別情報に対応する端末識別情報に対応付いている送信回数である。また、「受信端末識別情報に対応する端末識別情報」とは、通常、受信端末識別情報と同一の端末識別情報である。そして、広告情報取得部１１０８は、受信中継識別情報および取得した送信回数が合致する送信回数条件に対応する広告情報を取得する。
【００５５】
また、例えば、広告管理情報が表示広告情報を有する場合、広告情報取得部１１０８は、例えば、広告管理情報格納部１１０１から表示広告情報を取得してもよい。この場合、広告情報取得部１１０８は、通常、受信中継識別情報に対応する表示広告情報を取得する。
【００５６】
訪問管理情報蓄積部１１０９は、訪問管理情報を訪問管理情報格納部１１０２に蓄積する。当該蓄積には、いわゆる上書きや、いわゆる更新なども含まれる。
【００５７】
訪問管理情報蓄積部１１０９は、例えば、端末識別情報と訪問場所情報とを有する訪問管理情報を蓄積する。当該訪問管理情報を蓄積する場合、訪問管理情報蓄積部１１０９は、例えば、まず、受信中継識別情報に対応する訪問場所情報を、広告管理情報格納部１１０１から取得する。そして、訪問管理情報蓄積部１１０９は、受信端末識別情報と、取得した訪問場所情報とが対応付いた訪問管理情報を、訪問管理情報格納部１１０２に蓄積する。
【００５８】
なお、訪問管理情報蓄積部１１０９は、具体的には、次の様にして訪問管理情報を蓄積する。例えば、受信端末識別情報を有する訪問管理情報が既に格納されている場合、訪問管理情報蓄積部１１０９は、当該端末識別情報に対応付けて、取得した訪問場所情報を蓄積する。また、例えば、取得した訪問場所情報を有する訪問管理情報が既に格納されている場合、訪問管理情報蓄積部１１０９は、当該訪問場所情報に対応付けて、受信端末識別情報を蓄積する。また、例えば、受信端末識別情報と取得した訪問場所情報とを有する訪問管理情報が格納されていない場合、訪問管理情報蓄積部１１０９は、受信端末識別情報と取得した訪問場所情報とを対応付けて、訪問管理情報を構成する。そして、訪問管理情報蓄積部１１０９は、当該構成した訪問管理情報を蓄積する。
【００５９】
また、訪問管理情報蓄積部１１０９は、例えば、端末識別情報と訪問場所情報と広告受信時刻情報とを有する訪問管理情報を蓄積する。当該訪問管理情報を蓄積する場合、訪問管理情報蓄積部１１０９は、例えば、まず、受信中継識別情報に対応する訪問場所情報を、広告管理情報格納部１１０１から取得する。そして、訪問管理情報蓄積部１１０９は、時刻情報取得部１１０６が取得した時刻情報を取得する。そして、訪問管理情報蓄積部１１０９は、受信端末識別情報と、取得した訪問場所情報と、取得した時刻情報が対応付いた訪問管理情報を、訪問管理情報格納部１１０２に蓄積する。
【００６０】
なお、訪問管理情報蓄積部１１０９は、具体的には、次の様にして訪問管理情報を蓄積する。例えば、受信端末識別情報を有する訪問管理情報が既に格納されている場合、訪問管理情報蓄積部１１０９は、当該端末識別情報に対応付けて、取得した訪問場所情報と、取得した時刻情報とを蓄積する。また、例えば、取得した訪問場所情報を有する訪問管理情報が既に格納されている場合、訪問管理情報蓄積部１１０９は、当該訪問場所情報に対応付けて、受信端末識別情報と、取得した時刻情報とを蓄積する。また、例えば、受信端末識別情報と、取得した訪問場所情報と、取得した時刻情報とを有する訪問管理情報が格納されていない場合、訪問管理情報蓄積部１１０９は、当該端末識別情報と訪問場所情報と時刻情報とを対応付けて、訪問管理情報を構成する。そして、訪問管理情報蓄積部１１０９は、当該構成した訪問管理情報を蓄積する。
【００６１】
訪問判断部１１１０は、広告情報の受信に応じてユーザが訪問場所を訪問したか否かを判断する。当該「広告情報の受信」は、ユーザが所持している携帯端末装置１３による広告情報の受信である。また、当該ユーザは、携帯端末装置１３を所持しているユーザである。また、当該訪問場所は、携帯端末装置１３により受信された広告情報である。そして、訪問判断部１１１０は、当該判断の結果を示す情報である訪問判断結果情報を取得する。訪問判断結果情報は、通常、いわゆるフラグである。
【００６２】
訪問判断部１１１０は、例えば、受信中継識別情報と、訪問管理情報格納部１１０２に格納されている訪問場所情報とが対応するか否かを判断することにより、広告情報の受信に応じてユーザが訪問場所を訪問したか否かを判断する。この場合、訪問判断部１１１０は、例えば、まず、受信端末識別情報に対応する訪問場所情報を、訪問管理情報格納部１１０２から取得する。そして、訪問判断部１１１０は、受信中継識別情報と、取得した訪問場所情報とが、対応するか否かを判断する。「対応する」とは、通常、同一であることである。また、当該「対応する」とは、例えば、いずれか一方が、自身の一部として他方を含んでいることであってもよい。そして、訪問判断部１１１０は、判断の結果を示す訪問判断結果情報を取得する。
【００６３】
また、受信中継識別情報と取得した訪問場所情報とが対応することを示す訪問判断結果情報は、広告情報の受信に応じてユーザが訪問場所を訪問したことを示す。また、受信中継識別情報と取得した訪問場所情報とが対応しないことを示す訪問判断結果情報は、広告情報の受信に応じてユーザが携帯端末装置１３による広告情報の受信に応じて訪問場所を訪問していないことを示す。
【００６４】
また、訪問判断部１１１０は、例えば、携帯端末装置１３が広告情報を受信した時刻から、当該携帯端末装置１３を所持しているユーザが訪問場所を訪問した時刻までの時間が、予め決められた条件を満たすか否かを判断することにより、広告情報の受信に応じてユーザが訪問場所を訪問したか否かを判断する。この場合、訪問判断部１１１０は、例えば、まず、受信端末識別情報と同一の端末識別情報、および、受信中継識別情報と同一の訪問場所情報に対応付いている広告受信時刻情報を、訪問管理情報格納部１１０２から取得する。そして、訪問判断部１１１０は、時刻情報取得部１１０６が取得した時刻情報を取得する。そして、訪問判断部１１１０は、取得した広告受信時刻情報と、取得した時刻情報とを用いて、時間を示す情報である時間情報を算出する。当該時間情報が示す時間は、当該広告受信情報が示す時刻から、当該時刻情報が示す時刻までの時間である。また、当該時間情報を、以下、適時、訪問時間情報とする。また、当該時間情報が示す時間を、以下、適宜、訪問時間とする。そして、訪問判断部１１１０は、算出した訪問時間情報が、予め決められた条件（以下、適宜、訪問時間条件とする）を満たすか否かを判断する。そして、訪問判断部１１１０は、当該判断の結果を示す訪問判断結果情報を取得する。
【００６５】
なお、訪問時間条件は、例えば、訪問時間情報が予め決められた閾値以下であることや、訪問時間情報が予め決められた第一の閾値以上かつ予め決められた第二の閾値未満であることなどである。また、訪問時間条件は、例えば、広告受信時刻情報が示す時刻から日が変わる時刻（２４：００）までの時間や、携帯端末装置１３が広告情報を受信した位置（場所）から訪問場所までの距離などに応じて決定されてもよい。
【００６６】
また、訪問時間情報が訪問時間条件を満たすことを示す訪問判断結果情報は、広告情報の受信に応じてユーザが訪問場所を訪問したことを示す。また、訪問時間情報が訪問時間条件を満たさないことを示す訪問判断結果情報は、広告情報の受信に応じてユーザが訪問場所を訪問していないことを示す。
【００６７】
なお、訪問判断部１１１０が取得した訪問判断結果情報は、通常、後述の訪問回数管理情報蓄積部１１１３が訪問回数管理情報の蓄積に用いる。つまり、後述の訪問回数管理情報蓄積部１１１３は、通常、訪問判断結果情報（訪問判断結果情報が示す判断結果）に応じて、訪問回数管理情報を、訪問回数管理情報格納部１１０５に蓄積する。なお、当該、訪問回数管理情報を蓄積する方法や手順などの詳細は、後述する。
【００６８】
経路情報蓄積部１１１１は、経路情報を経路情報格納部１１０３に蓄積する。当該経路情報の蓄積は、例えば、受信部１１０７が端末識別情報と中継識別情報とを受信するたびに行う。また、経路情報蓄積部１１１１は、具体的には、次の様にして経路情報を蓄積する。
【００６９】
例えば、受信端末識別情報に対応する経路情報が既に格納されている場合、経路情報蓄積部１１１１は、当該経路情報に対応付けて、受信中継識別情報を蓄積する。この結果、当該経路情報は、当該中継識別情報を有するようになる。また、例えば、受信端末識別情報に対応する経路情報が格納されていない場合、経路情報蓄積部１１１１は、当該端末識別情報と中継識別情報とを対応付けて、経路情報格納部１１０３に蓄積する。この結果、当該中継識別情報が経路情報となる。
【００７０】
送信回数管理情報蓄積部１１１２は、送信回数管理情報を送信回数管理情報格納部１１０４に蓄積する。当該送信回数管理情報の蓄積は、通常、後述の送信部１１１５が、広告情報取得部１１０８が取得した広告情報を、中継装置１２に送信するたびに行う。また、当該送信回数管理情報の蓄積は、例えば、広告情報取得部１１０８が広告情報を取得するたびに行ってもよい。
【００７１】
送信回数管理情報蓄積部１１１２は、例えば、端末識別情報と送信回数とが対応付いた送信回数管理情報を蓄積する。当該送信回数管理情報を蓄積する場合、送信回数管理情報蓄積部１１１２は、具体的には、次の様にして送信回数管理情報を蓄積する。
【００７２】
例えば、受信端末識別情報を有する送信回数管理情報が既に格納されている場合、送信回数管理情報蓄積部１１１２は、送信回数管理情報格納部１１０４に格納されている送信回数であり、受信端末識別情報に対応する送信回数を、１インクリメントする。また、例えば、受信端末識別情報を有する送信回数管理情報が格納されていない場合、送信回数管理情報蓄積部１１１２は、受信端末識別情報と送信回数「１」とを対応付けて、送信回数管理情報を構成する。そして、送信回数管理情報蓄積部１１１２は、当該構成した送信回数管理情報を蓄積する。なお、送信回数「１」は、通常、送信回数管理情報蓄積部１１１２が予め保持している。
【００７３】
また、送信回数管理情報蓄積部１１１２は、例えば、端末識別情報と広告情報と送信回数とが対応付いた送信回数管理情報を蓄積する。当該送信回数管理情報を蓄積する場合、送信回数管理情報蓄積部１１１２は、例えば、まず、後述の送信部１１１５が送信した広告情報が有する広告識別情報を取得する。このとき、送信回数管理情報蓄積部１１１２は、例えば、広告情報取得部１１０８が取得した広告情報が有する広告識別情報を取得してもよい。そして、送信回数管理情報蓄積部１１１２は、受信端末識別情報と、取得した広告識別情報と、当該広告識別情報により識別される広告情報が、中継装置１２を経由して当該端末識別情報により識別される携帯端末装置１３に送信された回数である送信回数とが対応付いた送信回数管理情報を、送信回数管理情報格納部１１０４に蓄積する。
【００７４】
なお、送信回数管理情報蓄積部１１１２は、具体的には、次の様にして送信回数管理情報を蓄積する。例えば、受信端末識別情報と取得した広告識別情報とを有する送信回数管理情報が既に格納されている場合、送信回数管理情報蓄積部１１１２は、送信回数管理情報格納部１１０４に格納されている送信回数であり、当該端末識別情報と広告識別情報とに対応する送信回数を、１インクリメントする。また、例えば、受信端末識別情報と取得した広告識別情報とを有する送信回数管理情報が格納されていない場合、送信回数管理情報蓄積部１１１２は、当該端末識別情報と広告識別情報と送信回数「１」とを対応付けて、送信回数管理情報を構成する。そして、送信回数管理情報蓄積部１１１２は、当該構成した送信回数管理情報を蓄積する。なお、送信回数「１」は、通常、送信回数管理情報蓄積部１１１２が予め保持している。
【００７５】
なお、上記、送信回数管理情報格納部１１０４に格納されている送信回数を１インクリメントすることは、例えば、当該１インクリメント後の送信回数を取得することであってもよい。この場合、送信回数管理情報蓄積部１１１２は、当該取得した送信回数を有する送信回数管理情報を蓄積する。
【００７６】
訪問回数管理情報蓄積部１１１３は、訪問回数管理情報を訪問回数管理情報格納部１１０５に蓄積する。当該訪問回数管理情報の蓄積は、通常、訪問判断部１１１０が、広告情報の受信に応じてユーザが訪問場所を訪問したと判断するたびに行う。言い換えると、当該訪問回数管理情報の蓄積は、通常、訪問判断部１１１０が、広告情報の受信に応じてユーザが訪問場所を訪問したことを示す訪問判断結果情報を取得するたびに行う。
【００７７】
訪問回数管理情報蓄積部１１１３は、例えば、端末識別情報と訪問回数とが対応付いた訪問回数管理情報を蓄積する。当該訪問回数管理情報を蓄積する場合、訪問回数管理情報蓄積部１１１３は、具体的には、次の様にして訪問回数管理情報を蓄積する。
【００７８】
例えば、受信端末識別情報を有する訪問回数管理情報が既に格納されている場合、訪問回数管理情報蓄積部１１１３は、訪問回数管理情報格納部１１０５に格納されている訪問回数であり、受信端末識別情報に対応する訪問回数を、１インクリメントする。また、例えば、受信端末識別情報を有する訪問回数管理情報が格納されていない場合、訪問回数管理情報蓄積部１１１３は、受信端末識別情報と訪問回数「１」とを対応付けて、訪問回数管理情報を構成する。そして、訪問回数管理情報蓄積部１１１３は、当該構成した訪問回数管理情報を蓄積する。なお、訪問回数「１」は、通常、訪問回数管理情報蓄積部１１１３が予め保持している。
【００７９】
また、訪問回数管理情報蓄積部１１１３は、例えば、端末識別情報と訪問場所情報と訪問回数とが対応付いた訪問回数管理情報を蓄積する。当該訪問回数管理情報を蓄積する場合、訪問回数管理情報蓄積部１１１３は、例えば、まず、訪問判断部１１１０が、広告情報の受信に応じてユーザが訪問場所を訪問したと判断した場合に、当該判断に用いた端末識別情報と訪問場所情報とを取得する。そして、訪問回数管理情報蓄積部１１１３は、取得した端末識別情報と訪問場所情報と当該訪問場所情報が示す訪問場所を訪問した回数である訪問回数とが対応付いた訪問回数管理情報を、訪問回数管理情報格納部１１０５に蓄積する。
【００８０】
なお、訪問回数管理情報蓄積部１１１３は、具体的には、次に様にして訪問回数管理情報を蓄積する。例えば、訪問判断部１１１０から取得した端末識別情報と訪問場所情報とを有する訪問回数管理情報が既に格納されている場合、訪問回数管理情報蓄積部１１１３は、訪問回数管理情報格納部１１０５に格納されている訪問回数であり、当該端末識別情報と訪問場所情報とに対応する訪問回数を、１インクリメントする。また、例えば、訪問判断部１１１０から取得した端末識別情報と訪問場所情報とを有する訪問回数管理情報が格納されていない場合、訪問回数管理情報蓄積部１１１３は、当該端末識別情報と訪問場所情報と訪問回数「１」とを対応付けて、訪問回数管理情報を構成する。そして、訪問回数管理情報蓄積部１１１３は、当該構成した訪問回数管理情報を蓄積する。なお、訪問回数「１」は、通常、訪問回数管理情報蓄積部１１１３が予め保持している。
【００８１】
なお、上記、訪問回数管理情報格納部１１０５に格納されている訪問回数を１インクリメントすることは、例えば、当該１インクリメント後の送信回数を取得することであってもよい。この場合、訪問回数管理情報蓄積部１１１３は、当該取得した訪問回数を有する訪問回数管理情報を蓄積する。
【００８２】
コンバージョン率算出部１１１４は、送信回数に対する訪問回数の割合であるコンバージョン率を算出する。当該送信回数および訪問回数は、送信回数管理情報が有する送信回数および訪問回数管理情報が有する訪問回数であり、かつ、同一の端末識別情報が対応付いた送信回数および訪問回数である。また、当該コンバージョン率を算出する具体的な手順は、例えば、以下のとおりである。
【００８３】
コンバージョン率算出部１１１４は、例えば、まず、受信端末識別情報に対応する送信回数を、送信回数管理情報格納部１１０４から取得する。そして、コンバージョン率算出部１１１４は、受信端末識別情報に対応する訪問回数を、訪問回数管理情報格納部１１０５から取得する。そして、コンバージョン率算出部１１１４は、取得した送信回数に対する取得した訪問回数の割合を算出する。
【００８４】
また、送信回数管理情報が広告識別情報を有し、かつ、訪問回数管理情報が訪問場所情報を有する場合、コンバージョン率算出部１１１４は、例えば、同一の端末識別情報が対応付いた送信回数管理情報および訪問回数管理情報であり、広告管理情報において対応付いている広告識別情報および訪問場所情報を有する送信回数管理情報および訪問回数管理情報が有する送信回数および訪問回数を用いて、コンバージョン率を算出してもよい。
【００８５】
送信部１１１５は、広告情報を、中継装置１２に送信する。当該広告情報は、広告情報取得部１１０８が取得した広告情報である。また、当該中継装置１２は、広告情報の取得に用いた中継識別情報により識別される中継装置１２である。
【００８６】
また、送信部１１１５は、表示広告情報を、中継装置１２に送信する。当該表示広告情報は、広告情報取得部１１０８が取得した表示広告情報である。また、当該中継装置１２は、表示広告情報の取得に用いた中継識別情報により識別される中継装置１２である。
【００８７】
処理部１１１６は、訪問判断結果情報、経路情報、送信回数管理情報、訪問回数管理情報、コンバージョン率のいずれか１種類以上の情報を用いた処理を行う。当該処理の内容は、問わない。当該処理は、例えば、当該情報を携帯端末装置１３に送信することや、当該情報を出力すること、当該情報を統計処理することなどである。
【００８８】
例えば、訪問判断結果情報を統計処理するとは、例えば、広告情報の受信に応じてユーザが訪問場所を訪問したか否かを判断した回数に対する、広告情報の受信に応じてユーザが訪問場所を訪問したと判断した回数の割合などを算出することなどである。
【００８９】
また、例えば、経路情報を統計処理するとは、例えば、ユーザが所持している携帯端末装置１３が広告情報を受信してから、当該広告情報に関連する訪問場所を訪問するまでの平均の移動距離や、当該訪問場所を訪問するまでに経由する地点の平均の数などを算出することなどである。
【００９０】
また、例えば、送信回数管理情報を統計処理するとは、例えば、一のユーザに広告情報が送信された回数やその平均、一の広告情報が送信された回数やその平均などを算出することなどである。
【００９１】
また、例えば、訪問回数管理情報を統計処理するとは、例えば、一のユーザが訪問場所を訪問した回数やその平均、一の訪問場所がユーザにより訪問された回数やその平均などを算出することなどである。
【００９２】
また、例えば、コンバージョン率を統計処理するとは、例えば、コンバージョン率の平均を算出することや、広告ごとかつユーザごとのコンバージョン率の平均を算出することなどである。
【００９３】
また、処理部１１１６は、例えば、予め決められたタイミングに、訪問判断結果情報などの処理を行ってもよい。当該予め決められたタイミングとは、例えば、予め決められた時刻や、予め決められた時間ごと（定期的）などである。
【００９４】
中継識別情報格納部１２０１には、中継識別情報が格納される。中継識別情報格納部１２０１には、通常、予め中継識別情報が格納されている。また、例えば、中継識別情報がＩＰアドレスである場合、中継識別情報格納部１２０１には、例えば、いわゆるＤＨＣＰサーバから送信されたＩＰアドレスが蓄積されてもよい。また、中継識別情報が位置情報である場合、中継識別情報格納部１２０１には、例えば、衛星航法システム（ＧＰＳ受信機など）や、移動体通信用の基地局から位置情報を受信する装置などが受信した位置情報が蓄積されてもよい。
【００９５】
中継受信部１２０２は、携帯端末装置１３から、端末識別情報を受信する。また、中継受信部１２０２は、後述の中継送信部１２０３による中継識別情報のサーバ装置１１への送信に応じて、サーバ装置１１から広告情報を受信する。また、中継受信部１２０２は、後述の中継送信部１２０３による中継識別情報のサーバ装置１１への送信に応じて、サーバ装置１１から表示広告情報を受信してもよい。
【００９６】
中継送信部１２０３は、通常、中継識別情報、または、端末識別情報と中継識別情報とを、サーバ装置１１に送信する。当該中継識別情報は、中継識別情報格納部１２０１に格納されている中継識別情報である。また、当該端末識別情報は、中継受信部１２０２が受信した端末識別情報である。
【００９７】
また、中継送信部１２０３は、通常、中継受信部１２０２による端末識別情報の受信に応じて、上記の情報を送信する。つまり、中継受信部１２０２による端末識別情報の受信が、中継送信部１２０３による上記の情報のトリガとなる。また、当該送信は、通常、広告情報を受信するために行う。
【００９８】
また、中継送信部１２０３は、例えば、予め決められたタイミングに、中継識別情報を送信してもよい。当該予め決められたタイミングとは、例えば、予め決められた時刻や、予め決められた時間ごと（定期的）などである。また、当該送信は、通常、表示広告情報を受信するために行う。
【００９９】
また、中継送信部１２０３は、中継受信部１２０２が受信した広告情報を、携帯端末装置１３に送信する。当該広告情報の送信先となる携帯端末装置１３は、通常、上記の情報の送信のトリガである端末識別情報により識別される携帯端末装置１３である。
【０１００】
また、中継送信部１２０３は、中継受信部１２０２が受信した表示広告情報を、対応する表示装置１４に送信する。
【０１０１】
端末識別情報格納部１３０１には、端末識別情報が格納される。
【０１０２】
端末送信部１３０２は、端末識別情報格納部１３０１に格納されている端末識別情報を、中継装置１２に送信する。端末送信部１３０２は、通常、中継装置１２との通信を確立するために、端末識別情報を中継装置１２に送信する。また、端末送信部１３０２は、例えば、端末識別情報と共に時刻情報を送信してもよい。この場合、当該時刻情報は、通常、端末送信部１３０２が取得する。
【０１０３】
端末受信部１３０３は、端末送信部１３０２による端末識別情報の送信に応じて、中継装置１２から、広告情報を受信する。
【０１０４】
端末出力部１３０４は、端末受信部１３０３が受信した広告情報を出力する。出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。つまり、「広告情報を出力する」ことには、例えば、端末受信部１３０３が広告情報を受信した旨の出力を行うことも含まれる。「広告情報を受信した旨の出力」とは、例えば、画面にウィンドウを表示することや、通知ランプを点灯させることなどである。
【０１０５】
表示受信部１４０１は、対応付いている中継装置１２から表示広告情報を受信する。
【０１０６】
表示出力部１４０２は、表示受信部１４０１が受信した表示広告情報を出力する。
【０１０７】
なお、広告管理情報格納部１１０１、訪問管理情報格納部１１０２、経路情報格納部１１０３、送信回数管理情報格納部１１０４、訪問回数管理情報格納部１１０５、中継識別情報格納部１２０１、端末識別情報格納部１３０１は、不揮発性の記録媒体が好適であるが、揮発性の記録媒体でも実現可能である。また、広告管理情報格納部１１０１などに所定の情報が記憶される過程は、問わない。例えば、当該所定の情報は、記録媒体や、通信回線、入力デバイスなどを介して広告管理情報格納部１１０１などに記憶されてもよい。
【０１０８】
また、広告情報取得部１１０８、訪問管理情報蓄積部１１０９、訪問判断部１１１０、経路情報蓄積部１１１１、送信回数管理情報蓄積部１１１２、訪問回数管理情報蓄積部１１１３、コンバージョン率算出部１１１４、処理部１１１６は、通常、ＭＰＵやメモリ等から実現され得る。また、広告情報取得部１１０８などの処理手順は、通常、ソフトウェアで実現され、当該ソフトウェアはＲＯＭ等の記録媒体に記録されている。なお、広告情報取得部１１０８などは、ハードウェア（専用回路）で実現されてもよい。
【０１０９】
また、受信部１１０７、中継受信部１２０２、端末受信部１３０３、表示受信部１４０１は、通常、無線または有線の通信手段で実現されるが、放送を受信する手段で実現されてもよい。
【０１１０】
また、送信部１１１５、中継送信部１２０３、端末送信部１３０２は、通常、無線または有線の通信手段で実現されるが、放送手段で実現されてもよい。
【０１１１】
また、端末出力部１３０４、表示出力部１４０２は、ディスプレイやスピーカーなどの出力デバイスを含むと考えてもよいし、含まないと考えてもよい。表示出力部１４０２は、出力デバイスのドライバソフトまたは、出力デバイスのドライバソフトと出力デバイスなどで実現され得る。
【０１１２】
次に、広告配信システム１の全体動作について、フローチャートを用いて説明する。なお、所定の情報におけるｉ番目の情報は、「情報［ｉ］」と記載するものとする。まず、サーバ装置１１の全体動作について、図４のフローチャートを用いて説明する。なお、図４のフローチャートにおいて、広告管理情報格納部１１０１には、中継識別情報と広告情報と表示広告情報と訪問場所情報とが対応付いた広告管理情報が格納されているものとする。
【０１１３】
（ステップＳ４０１）時刻情報取得部１１０６は、時刻情報の取得を開始する。以降、時刻情報取得部１１０６は、定期的に時刻情報を取得し続ける。
【０１１４】
（ステップＳ４０２）広告情報取得部１１０８は、受信部１１０７が端末識別情報と中継識別情報と中継識別情報と中継識別情報とを受信したか否かを判断する。受信した場合は、ステップＳ４０３に進み、そうでない場合は、ステップＳ４０２に戻る。
【０１１５】
（ステップＳ４０３）広告情報取得部１１０８は、ステップＳ４０２で受信した中継識別情報に対応する広告情報を、広告管理情報格納部１１０１から取得する。
【０１１６】
（ステップＳ４０４）送信部１１１５は、ステップＳ４０３で取得した広告情報を、ステップＳ４０１で受信した中継識別情報により識別される中継装置１２に送信する。
【０１１７】
（ステップＳ４０５）送信回数管理情報蓄積部１１１２は、ステップＳ４０２で受信した端末識別情報と、当該端末識別情報に広告情報が送信された回数である送信回数とが対応付いた送信回数管理情報を、送信回数管理情報格納部１１０４に蓄積する。
【０１１８】
（ステップＳ４０６）訪問管理情報蓄積部１１０９は、ステップＳ４０２で受信した中継識別情報に対応する訪問場所情報（ステップＳ４０２で取得した広告情報に対応する訪問場所情報）を、広告管理情報格納部１１０１から取得する。
【０１１９】
（ステップＳ４０７）訪問管理情報蓄積部１１０９は、ステップＳ４０２で受信した端末識別情報と、ステップＳ４０６で取得した訪問場所情報とが対応付いた訪問管理情報を、訪問管理情報格納部１１０２に蓄積する。また、このとき、訪問管理情報蓄積部１１０９は、例えば、ステップＳ４０２で受信した端末識別情報と、ステップＳ４０６で取得した訪問場所情報と、時刻情報取得部１１０６が取得した時刻情報とが対応付いた訪問管理情報を、訪問管理情報格納部１１０２に蓄積してもよい。
【０１２０】
（ステップＳ４０８）経路情報蓄積部１１１１は、ステップＳ４０２で受信した端末識別情報と、ステップＳ４０２で受信した中継識別情報を有する経路情報とを対応付けて、経路情報格納部１１０３に蓄積する。
【０１２１】
（ステップＳ４０９）訪問判断部１１１０は、ステップＳ４０２で受信した端末識別情報により識別される携帯端末装置１３を保持しているユーザが、ステップＳ４０６で取得した訪問場所情報が示す訪問場所を訪問したか否かを判断する。この処理の詳細は、図５のフローチャートを用いて説明する。なお、訪問判断部１１１０は、当該判断の結果を、変数ｒｅｓｕｌｔにセットするものとする。
【０１２２】
（ステップＳ４１０）訪問回数管理情報蓄積部１１１３は、ｒｅｓｕｌｔがｔｒｕｅであるか否かを判断する。ｔｒｕｅである場合は、ステップＳ４１１に進み、そうでない場合は、ステップＳ４１３に進む。
【０１２３】
（ステップＳ４１１）訪問回数管理情報蓄積部１１１３は、ステップＳ４０２で受信した端末識別情報と、当該端末識別情報により識別される携帯端末装置１３を保持しているユーザが訪問場所を訪問した回数である訪問回数とが対応付いた訪問回数管理情報を、訪問回数管理情報格納部１１０５に蓄積する。
【０１２４】
（ステップＳ４１２）コンバージョン率算出部１１１４は、送信回数管理情報格納部１１０４に格納されている送信回数であり、ステップＳ４０１で受信した端末識別情報に対応する送信回数と、訪問回数管理情報格納部１１０５に格納されている訪問回数であり、ステップＳ４０１で受信した端末識別情報に対応する訪問回数とを用いて、コンバージョン率を算出する。
【０１２５】
（ステップＳ４１３）広告管理情報格納部１１０１は、受信部１１０７が中継識別情報を受信したか否かを判断する。受信した場合は、ステップＳ４１４に進み、そうでない場合は、ステップＳ４０２に戻る。
【０１２６】
（ステップＳ４１４）広告情報取得部１１０８は、ステップＳ４１３で受信した中継識別情報に対応する表示広告情報を、広告管理情報格納部１１０１から取得する。
【０１２７】
（ステップＳ４１５）送信部１１１５は、ステップＳ４１４で取得した表示広告情報を、ステップＳ４１３で受信した中継識別情報により識別される中継装置１２に送信する。そして、ステップＳ４０２に戻る。
【０１２８】
（ステップＳ４１６）処理部１１１６は、訪問判断結果情報や、経路情報などを用いた処理を行うタイミングであるか否かを判断する。処理を行うタイミングである場合は、ステップＳ４１７に進み、そうでない場合は、ステップＳ４０２に戻る。
【０１２９】
（ステップＳ４１７）処理部１１１６は、訪問判断結果情報や、経路情報などの各種情報を用いた処理を行う。そして、ステップＳ４０２に戻る。
【０１３０】
なお、図４のフローチャートにおいて、電源オフや処理終了の割り込みにより処理を終了してもよい。
【０１３１】
図５は、図４のフローチャートのステップＳ４０９の訪問場所を訪問したか否かの判断処理を示すフローチャートである。なお、図５のフローチャートにおいて、訪問管理情報格納部１１０２には、ｍ個の訪問管理情報が格納されているものとする。また、当該訪問管理情報は、端末識別情報と訪問場所情報と時刻情報とを有するものとする。
【０１３２】
（ステップＳ５０１）訪問判断部１１１０は、変数ｒｅｓｕｌｔにｆａｌｓｅをセットする。
【０１３３】
（ステップＳ５０２）訪問判断部１１１０は、カウンタｉに１をセットする。
【０１３４】
（ステップＳ５０３）訪問判断部１１１０は、受信端末識別情報が、訪問管理情報格納部１１０２に格納されている端末識別情報［ｉ］と同一であるか否かを判断する。同一である場合は、ステップＳ５０４に進み、そうでない場合は、ステップＳ５０８に進む。
【０１３５】
（ステップＳ５０４）訪問判断部１１１０は、受信中継識別情報が、訪問管理情報格納部１１０２に格納されている訪問場所情報［ｉ］と同一であるか否かを判断する。同一である場合は、ステップＳ５０５に進み、そうでない場合は、ステップＳ５０８に進む。
【０１３６】
（ステップＳ５０５）訪問判断部１１１０は、訪問管理情報格納部１１０２に格納されている広告受信場所情報［ｉ］と、時刻情報取得部１１０６が取得した時刻情報とを用いて、訪問時間情報を算出する。
【０１３７】
（ステップＳ５０６）訪問判断部１１１０は、ステップＳ５０５で算出した訪問時間情報が訪問時間条件を満たすか否かを判断する。満たす場合は、ステップＳ５０７に進み、そうでない場合は、ステップＳ５０８に進む。
【０１３８】
（ステップＳ５０７）訪問判断部１１１０は、ｒｅｓｕｌｔにｔｒｕｅをセットする。そして、上位処理にリターンする。
【０１３９】
（ステップＳ５０８）訪問判断部１１１０は、ｉがｍであるか否かを判断する。ｍである場合は、上位処理にリターンし、そうでない場合は、ステップＳ５０９に進む。
【０１４０】
（ステップＳ５０９）訪問判断部１１１０は、ｉを１インクリメントする。そして、ステップＳ５０３に進む。
【０１４１】
次に、中継装置１２の全体動作について、図６のフローチャートを用いて説明する。
【０１４２】
（ステップＳ６０１）中継装置１２は、図示しない中継受付部が電源ＯＮの指示を受け付けたか否かを判断する。受け付けた場合は、ステップＳ６０２に進み、そうでない場合は、ステップＳ６０１に戻る。
【０１４３】
（ステップＳ６０２）中継装置１２は、電源ＯＮの処理を行う。
【０１４４】
（ステップＳ６０３）中継送信部１２０３は、中継受信部１２０２が端末識別情報を受信したか否かを判断する。受信した場合は、ステップＳ６０４に進み、そうでない場合は、ステップＳ６０７に進む。
【０１４５】
（ステップＳ６０４）中継送信部１２０３は、ステップＳ６０５で受信した端末識別情報と、中継識別情報格納部１２０１に格納されている中継識別情報とを、サーバ装置１１に送信する。
【０１４６】
（ステップＳ６０５）中継送信部１２０３は、中継受信部１２０２が広告情報を受信したか否かを判断する。受信した場合は、ステップＳ６０６に進み、そうでない場合は、ステップＳ６０５に戻る。
【０１４７】
（ステップＳ６０６）中継送信部１２０３は、ステップＳ６０５で受信した広告情報を、ステップＳ６０３で受信した端末識別情報により識別される携帯端末装置１３に送信する。
【０１４８】
（ステップＳ６０７）中継送信部１２０３は、中継識別情報の送信のタイミングであるか否かを判断する。送信のタイミングである場合は、ステップＳ６０８に進み、そうでない場合は、ステップＳ６０３に戻る。
【０１４９】
（ステップＳ６０８）中継送信部１２０３は、中継識別情報格納部１２０１に格納されている中継識別情報を、サーバ装置１１に送信する。
【０１５０】
（ステップＳ６０９）中継送信部１２０３は、中継受信部１２０２が表示広告情報を受信したか否かを判断する。受信した場合は、ステップＳ６１０に進み、そうでない場合は、ステップＳ６０９に戻る。
【０１５１】
（ステップＳ６１０）中継送信部１２０３は、ステップＳ６０９で受信した表示広告情報を、中継装置１２に対応付いている表示装置１４に送信する。
【０１５２】
（ステップＳ６１１）中継装置１２は、図示しない中継受付部が電源ＯＦＦの指示を受け付けたか否かを判断する。受け付けた場合は、ステップＳ６１２に進み、そうでない場合は、ステップＳ６０３に戻る。
【０１５３】
（ステップＳ６１２）中継装置１２は、電源ＯＦＦの処理を行う。そして、ステップＳ６０１に戻る。
【０１５４】
なお、図６のフローチャートにおいて、電源オフや処理終了の割り込みにより処理を終了してもよい。
【０１５５】
また、図６のフローチャートにおいて、ステップＳ６０７からステップＳ６１０までの処理は、通常、表示装置１４に対応付いている中継装置１２のみが行う。
【０１５６】
次に、携帯端末装置１３の全体動作について、図７のフローチャートを用いて説明する。
【０１５７】
（ステップＳ７０１）携帯端末装置１３は、図示しない端末受付部が電源ＯＮの指示を受け付けたか否かを判断する。受け付けた場合は、ステップＳ７０２に進み、そうでない場合は、ステップＳ７０１に戻る。
【０１５８】
（ステップＳ７０２）携帯端末装置１３は、電源ＯＮの処理を行う。
【０１５９】
（ステップＳ７０３）携帯端末装置１３は、中継装置１２との通信が可能であるか否かを判断する。可能である場合は、ステップＳ７０４に進み、そうでない場合は、ステップＳ７０３に戻る。
【０１６０】
（ステップＳ７０４）端末送信部１３０２は、端末識別情報格納部１３０１に格納されている端末識別情報を、通信が可能である中継装置１２に送信する。
【０１６１】
（ステップＳ７０５）端末出力部１３０４は、端末受信部１３０３が広告情報を受信したか否かを判断する。受信した場合は、ステップＳ７０６に進み、そうでない場合は、ステップＳ０５に戻る。
【０１６２】
（ステップＳ７０６）端末出力部１３０４は、ステップＳ７０５で受信した広告情報を出力する。
【０１６３】
（ステップＳ７０７）携帯端末装置１３は、図示しない端末受付部が電源ＯＦＦの指示を受け付けたか否かを判断する。受け付けた場合は、ステップＳ７０８に進み、そうでない場合は、ステップＳ７０３に戻る。
【０１６４】
（ステップＳ７０８）携帯端末装置１３は、電源ＯＦＦの処理を行う。そして、ステップＳ７０１に戻る。
【０１６５】
なお、図７のフローチャートにおいて、電源オフや処理終了の割り込みにより処理を終了してもよい。
【０１６６】
次に、表示装置１４の全体動作について、図８のフローチャートを用いて説明する。
【０１６７】
（ステップＳ８０１）表示出力部１４０２は、表示受信部１４０１が表示広告情報を受信したか否かを判断する。受信した場合は、ステップＳ８０２に進み、そうでない場合は、ステップＳ８０１に戻る。
【０１６８】
（ステップＳ８０２）表示出力部１４０２は、ステップＳ８０１で受信した表示広告情報を出力する。そして、ステップＳ８０１に戻る。
【０１６９】
なお、図８のフローチャートにおいて、電源オフや処理終了の割り込みにより処理を終了してもよい。
【０１７０】
なお、上記で説明した広告配信システム１の全体動作は、あくまで一例である。つまり、広告配信システム１の全体動作は、上記の説明に限定されるものではない。
【０１７１】
（具体例）
次に、広告配信システム１の動作の具体例について説明する。なお、本具体例において、中継装置１２は、無線ＬＡＮのアクセスポイント（以下、適宜、アクセスポイントＡ、アクセスポイントＢ、アクセスポイントＣなどとする）であるものとする。また、携帯端末装置１３は、スマートフォン（以下、適宜、スマホとする）であるものとする。また、表示装置１４は、サイネージディスプレイ（以下、適宜、サイネージディスプレイＡ、サイネージディスプレイＢ、サイネージディスプレイＣなどとする）であるものとする。また、本具体例において、広告管理情報格納部１１０１には、図９に示す広告管理情報が格納されているものとする。当該広告管理情報は、レコードを一意に特定するためのＩＤと、中継識別情報（項目名：中継識別）と、広告情報（項目名：広告）と、表示広告情報（項目名：表示広告）と、訪問場所情報（項目名：訪問場所）とを有する。
【０１７２】
（例１）
本例において、広告情報の取得、広告情報の送信、訪問管理情報の蓄積、送信回数管理情報の蓄積などの例について説明する。
【０１７３】
まず、スマホを所持しているユーザが、アクセスポイントＡの通信エリア内に侵入したとする。当該通信エリア内には、広告のパネルが設置されているものとする。また、当該スマホの端末識別情報格納部１３０１には、端末識別情報であるＭＡＣアドレス「００：１１：２２：３３：４４：５５」が格納されているものとする。また、当該アクセスポイントＡの中継識別情報格納部１２０１には、中継識別情報であるＩＰアドレス「２０２．１４．２５．３０２」が格納されているものとする。
【０１７４】
次に、端末送信部１３０２は、端末識別情報「００：１１：２２：３３：４４：５５」を、アクセスポイントＡに送信する。
【０１７５】
次に、アクセスポイントＡの中継受信部１２０２は、端末識別情報「００：１１：２２：３３：４４：５５」をスマホから受信する。そして、当該端末識別情報の受信に応じて、中継送信部１２０３は、当該端末識別情報「００：１１：２２：３３：４４：５５」と、中継識別情報格納部１２０１に格納されている中継識別情報「２０２．１４．２５．３０２」とを、サーバ装置１１に送信する。
【０１７６】
次に、サーバ装置１１の受信部１１０７は、端末識別情報「００：１１：２２：３３：４４：５５」と中継識別情報「２０２．１４．２５．３０２」とを、アクセスポイントＡから受信する。
【０１７７】
次に、広告情報取得部１１０８は、図９の広告管理情報から、中継識別情報「２０２．１４．２５．３０２」が対応付いている「ＩＤ＝０１２」の広告情報「ａｄｓ−ｓｍａｌｌ−Ｂ．ｊｐｇ」を取得する。当該広告情報は、広告情報を識別する広告識別情報である。従って、広告情報取得部１１０８は、具体的には、当該広告識別情報により識別される広告情報を取得する。
【０１７８】
次に、送信部１１１５は、広告情報取得部１１０８が取得した広告情報を、中継識別情報「２０２．１４．２５．３０２」により識別されるアクセスポイントＡに送信する。
【０１７９】
次に、アクセスポイントＡの中継受信部１２０２は、広告情報「ａｄｓ−ｓｍａｌｌ−Ｂ．ｊｐｇ」を受信する。そして、アクセスポイントＡの中継送信部１２０３は、当該広告情報を、端末識別情報「００：１１：２２：３３：４４：５５」により識別されるスマホに送信する。
【０１８０】
次に、スマホの端末受信部１３０３は、広告情報「ａｄｓ−ｓｍａｌｌ−Ｂ．ｊｐｇ」を受信する。そして、スマホの端末出力部１３０４は、当該広告情報を出力する。
【０１８１】
また、サーバ装置１１の訪問管理情報蓄積部１１０９は、図９の広告管理情報から、中継識別情報「２０２．１４．２５．３０２」が対応付いている「ＩＤ＝０１２」の訪問場所情報「ＳＨＯＰ−Ｂ」を取得する。
【０１８２】
次に、訪問管理情報蓄積部１１０９は、時刻情報取得部１１０６が取得している時刻情報を取得する。当該時刻情報は、日時を示す情報であるものとする。また、当該時刻情報は、「２０１３／１０／１５  １２：３５：４０」であるものとする。
【０１８３】
次に、訪問管理情報蓄積部１１０９は、受信端末識別情報「００：１１：２２：３３：４４：５５」と、取得した訪問場所情報「ＳＨＯＰ−Ｂ」と、取得した時刻情報「２０１３／１０／１５  １２：３５：４０」とが対応付いた訪問管理情報を、訪問管理情報格納部１１０２に蓄積する。当該蓄積された訪問管理情報は、例えば、図１０の「ＩＤ＝０１２」である。また、図１０において、訪問管理情報は、レコードを一意に特定するためのＩＤと、端末識別情報（項目名：端末識別）と、訪問場所情報（項目名：訪問場所）と、広告受信時刻情報（項目名：時刻）とを有する。
【０１８４】
また、サーバ装置１１の送信回数管理情報蓄積部１１１２は、受信端末識別情報「００：１１：２２：３３：４４：５５」と、広告情報取得部１１０８が取得した広告情報が有する広告識別情報「ａｄｓ−ｓｍａｌｌ−Ｂ．ｊｐｇ」と、当該広告識別情報により識別される広告情報が、当該端末識別情報により識別されるスマホに送信された回数である送信回数とが対応付いた送信回数管理情報を、送信回数管理情報格納部１１０４に蓄積する。ここで、例えば、当該端末識別情報と当該広告識別情報とを有する送信回数管理情報が、送信回数管理情報格納部１１０４に既に格納されている場合、送信回数管理情報蓄積部１１１２は、当該送信回数管理情報が有する送信回数を、１インクリメントする。また、例えば、当該端末識別情報と当該広告識別情報とを有する送信回数管理情報が、送信回数管理情報格納部１１０４に格納されていない場合、送信回数管理情報蓄積部１１１２は、当該端末識別情報と当該広告識別情報と送信回数「１」とを対応付けて、送信回数管理情報を構成する。そして、送信回数管理情報蓄積部１１１２は、当該構成した送信回数管理情報を、送信回数管理情報格納部１１０４に蓄積する。
【０１８５】
以上の様にして蓄積された送信回数管理情報は、例えば、図１１の「ＩＤ＝０１２」である。図１１において、送信回数管理情報は、レコードを一意に特定するためのＩＤと、端末識別情報（項目名：端末識別）と、広告識別情報（項目名：広告）と、送信回数とを有する。
【０１８６】
（例２）
本例において、経路情報の蓄積の例について説明する。なお、本例において、例１において説明済みである例については、適宜、説明を省略するものとする。
【０１８７】
まず、例１と同様に、スマホを所持しているユーザが、アクセスポイントＢの通信エリア内に侵入したとする。本例において、当該アクセスポイントＢの中継識別情報格納部１２０１には、中継識別情報である位置情報「（Ｎ３４．２２３３，Ｅ１３５．３３４６）」が格納されているものとする。
【０１８８】
次に、サーバ装置１１の受信部１１０７は、端末識別情報「００：１１：２２：３３：４４：５５」と中継識別情報「（Ｎ３４．２２３３，Ｅ１３５．３３４６）」とを、アクセスポイントＢから受信する。
【０１８９】
次に、広告情報取得部１１０８は、例１と同様に、端末識別情報「００：１１：２２：３３：４４：５５」に対応する広告情報を取得する。そして、当該広告情報が取得できた場合、送信部１１１５は、当該取得した広告情報を、アクセスポイントＢに送信する。
【０１９０】
次に、経路情報蓄積部１１１１は、受信端末識別情報「００：１１：２２：３３：４４：５５」と、受信中継識別情報「（Ｎ３４．２２３３，Ｅ１３５．３３４６）」とを対応付け、経路情報格納部１１０３に蓄積する。
【０１９１】
次に、スマホを所持しているユーザが、アクスポイントＣの通信エリア内に侵入したとする。当該アクセスポイントＣの中継識別情報格納部１２０１には、中継識別情報である位置情報「（Ｎ３４．２２３３，Ｅ１３５．３３４７）」が格納されているものとする。
【０１９２】
次に、サーバ装置１１の受信部１１０７は、上記と同様に、端末識別情報「００：１１：２２：３３：４４：５５」と中継識別情報「（Ｎ３４．２２３３，Ｅ１３５．３３４７）」とを、アクセスポイントＣから受信する。
【０１９３】
次に、広告情報取得部１１０８は、例１と同様に、端末識別情報「００：１１：２２：３３：４４：５５」に対応する広告情報を取得する。そして、当該広告情報が取得できた場合、送信部１１１５は、当該取得した広告情報を、アクセスポイントＣに送信する。
【０１９４】
次に、経路情報蓄積部１１１１は、経路情報格納部１１０３に格納されている経路情報であり、受信端末識別情報「００：１１：２２：３３：４４：５５」に対応付いている経路情報に対応付けて、中継識別情報「（Ｎ３４．２２３３，Ｅ１３５．３３４７）」を、経路情報格納部１１０３に蓄積する。
【０１９５】
次に、スマホを所持しているユーザが、アクスポイントＤの通信エリア内に侵入したとする。当該アクセスポイントＤの中継識別情報格納部１２０１には、中継識別情報である位置情報「（Ｎ３４．２２３３，Ｅ１３５．３３４８）」が格納されているものとする。
【０１９６】
次に、サーバ装置１１の受信部１１０７は、上記と同様に、端末識別情報「００：１１：２２：３３：４４：５５」と中継識別情報「（Ｎ３４．２２３３，Ｅ１３５．３３４８）」とを、アクセスポイントＤから受信する。
【０１９７】
次に、広告情報取得部１１０８は、例１と同様に、端末識別情報「００：１１：２２：３３：４４：５５」に対応する広告情報を取得する。そして、当該広告情報が取得できた場合、送信部１１１５は、当該取得した広告情報を、アクセスポイントＤに送信する。
【０１９８】
次に、経路情報蓄積部１１１１は、経路情報格納部１１０３に格納されている経路情報であり、受信端末識別情報「００：１１：２２：３３：４４：５５」に対応付いている経路情報に対応付けて、中継識別情報「（Ｎ３４．２２３３，Ｅ１３５．３３４７）」を、経路情報格納部１１０３に蓄積する。
【０１９９】
以上の様にして蓄積された経路情報は、例えば、図１２の「ＩＤ＝０１３」である。図１２において、経路情報は、１以上の位置情報（項目名：位置１、位置２、位置３など）を有する。当該位置情報は、中継識別情報である。また、図１２において、経路情報は、レコードを一意に特定するためのＩＤと、端末識別情報（項目名：端末識別）とが対応付いている。
【０２００】
（例３）
本例において、ユーザが訪問場所を訪問したか否かの判断、訪問回数管理情報の蓄積などの例について説明する。なお、本例において、例１などにおいて説明済みである例については、適宜、説明を省略するものとする。
【０２０１】
まず、例１と同様に、スマホを所持しているユーザが、アクセスポイントＡの通信エリア内に侵入した結果、訪問管理情報蓄積部１１０９が、図１０の「ＩＤ＝０１２」の訪問管理情報を蓄積したものとする。
【０２０２】
次に、スマホを所持しているユーザが、アクスポイントＤの通信エリア内に侵入したとする。当該アクセスポイントＤは、例えば、街中に設置されているものとする。また、当該アクセスポイントＤの中継識別情報格納部１２０１には、中継識別情報であるＳＳＩＤ「ＳＨＯＰ−Ｄ」が格納されているものとする。
【０２０３】
次に、サーバ装置１１の受信部１１０７は、端末識別情報「００：１１：２２：３３：４４：５５」と中継識別情報「ＳＨＯＰ−Ｄ」とを、アクセスポイントＤから受信する。
【０２０４】
次に、訪問判断部１１１０は、図１０の訪問管理情報から、端末識別情報「００：１１：２２：３３：４４：５５」が対応付いている「ＩＤ＝０１２」の訪問場所情報「ＳＨＯＰ−Ｂ」を取得する。そして、訪問判断部１１１０は、当該取得した訪問判断情報「ＳＨＯＰ−Ｂ」と、受信中継識別情報「ＳＨＯＰ−Ｄ」とが異なると判断する。そして、訪問判断部１１１０は、ユーザが訪問場所情報を訪問していないことを示す訪問判断結果情報を取得する。
【０２０５】
次に、スマホを所持しているユーザが、アクセスポイントＣの通信エリア内に侵入したとする。当該アクセスポイントＣは、例えば、街中に設置されているものとする。また、当該アクセスポイントＣの中継識別情報格納部１２０１には、中継識別情報であるＳＳＩＤ「ＳＨＯＰ−Ｃ」が格納されているものとする。
【０２０６】
次に、サーバ装置１１の訪問判断部１１１０は、上記と同様に、図１０の訪問管理情報から、受信端末識別情報「００：１１：２２：３３：４４：５５」が対応付いている「ＩＤ＝０１２」の訪問場所情報「ＳＨＯＰ−Ｂ」を取得する。そして、訪問判断部１１１０は、当該取得した訪問判断情報「ＳＨＯＰ−Ｂ」と、受信中継識別情報「ＳＨＯＰ−Ｃ」とが異なると判断する。そして、訪問判断部１１１０は、ユーザが訪問場所情報を訪問していないことを示す訪問判断結果情報を取得する。
【０２０７】
次に、スマホを所持しているユーザが、アクセスポイントＢの通信エリア内に侵入したとする。当該アクセスポイントＢは、例えば、店名が「ＳＨＯＰ−Ｂ」である飲食店中に設置されているものとする。また、当該アクセスポイントＢの中継識別情報格納部１２０１には、中継識別情報であるＳＳＩＤ「ＳＨＯＰ−Ｂ」が格納されているものとする。
【０２０８】
次に、サーバ装置１１の訪問判断部１１１０は、上記と同様に、図１０の訪問管理情報から、受信端末識別情報「００：１１：２２：３３：４４：５５」が対応付いている「ＩＤ＝０１２」の訪問場所情報「ＳＨＯＰ−Ｂ」を取得する。そして、訪問判断部１１１０は、当該取得した訪問判断情報「ＳＨＯＰ−Ｂ」と、受信中継識別情報「ＳＨＯＰ−Ｂ」とが同一であると判断する。そして、訪問判断部１１１０は、ユーザが訪問場所情報を訪問したことを示す訪問判断結果情報を取得する。
【０２０９】
次に、訪問回数管理情報蓄積部１１１３は、受信端末識別情報「００：１１：２２：３３：４４：５５」と、訪問判断部１１１０が取得した訪問場所情報（受信部１１０７が受信した訪問場所情報）「ＳＨＯＰ−Ｂ」と、当該訪問場所情報により示される訪問場所をユーザが訪問した回数である訪問回数とが対応付いた訪問回数管理情報を、訪問回数管理情報格納部１１０５に蓄積する。ここで、例えば、当該端末識別情報と当該訪問場所情報とを有する訪問回数管理情報が、訪問回数管理情報格納部１１０５に既に格納されている場合、訪問回数管理情報蓄積部１１１３は、当該訪問回数管理情報が有する訪問回数を、１インクリメントする。また、例えば、当該端末識別情報と当該訪問場所情報とを有する訪問回数管理情報が、訪問回数管理情報格納部１１０５に格納されていない場合、訪問回数管理情報蓄積部１１１３は、当該端末識別情報と当該訪問場所情報と訪問回数「１」とを対応付けて、訪問回数管理情報を構成する。そして、訪問回数管理情報蓄積部１１１３は、当該構成した訪問回数管理情報を、訪問回数管理情報格納部１１０５に蓄積する。
【０２１０】
以上の様にして蓄積された訪問回数管理情報は、例えば、図１３の「ＩＤ＝０１２」である。図１３において、訪問回数管理情報は、レコードを一意に特定するためのＩＤと、端末識別情報（項目名：端末識別）と、訪問場所情報（項目名：訪問場所）と、訪問回数とを有する。
【０２１１】
（例４）
本例において、コンバージョン率の算出の例について説明する。なお、本例において、例１などにおいて説明済みである例については、適宜、説明を省略するものとする。
【０２１２】
コンバージョン率算出部１１１４は、例えば、図１１の送信回数管理情報と、図１３の訪問回数管理情報とにおいて、同一の端末識別情報が対応付いており、図９の広告管理情報において対応付けられている訪問場所情報または広告識別情報が対応付いている送信回数および訪問回数を取得する。例えば、図１１の「ＩＤ＝０１２」の送信回数と図１３の「ＩＤ＝０１２」の訪問回数とには、同一の端末識別情報「００：１１：２２：３３：４４：５５」が対応付いている。また、図１１の「ＩＤ＝０１２」の広告識別情報と、図１３の「ＩＤ＝０１２」の訪問場所情報とは、図９の「ＩＤ＝０１２」の広告管理情報において対応付けられている。従って、コンバージョン率算出部１１１４は、例えば、図１１の「ＩＤ＝０１２」の送信回数「１」と図１３の「ＩＤ＝０１２」の訪問回数「１」とを取得する。
【０２１３】
次に、コンバージョン率算出部１１１４は、取得した送信回数「１」と訪問回数「１」とを用いて、「１／１」を計算し、例えば、コンバージョン率「１００％」を算出する。
【０２１４】
（例５）
本例において、表示広告情報の取得、表示広告情報の送信などの例について説明する。なお、本例において、例１などにおいて説明済みである例については、適宜、説明を省略するものとする。
【０２１５】
まず、スマホを所持しているユーザが、アクセスポイントＣの通信エリア内に侵入したとする。当該通信エリア内には、サイネージディスプレイＣが設置されているものとする。また、アクセスポイントＣとサイネージディスプレイＣとは、通信が可能な状態にあるものとする。また、当該アクセスポイントＣの中継識別情報格納部１２０１には、中継識別情報であるＩＰアドレス「２０２．１４．２５．３０３」が格納されているものとする。
【０２１６】
次に、中継識別情報をサーバ装置１１に送信する時刻になったとする。すると、アクセスポイントＣの中継送信部１２０３は、中継識別情報「２０２．１４．２５．３０３」をサーバ装置１１に送信する。
【０２１７】
次に、サーバ装置１１の受信部１１０７は、中継識別情報「２０２．１４．２５．３０３」をアクセスポイントＣから受信する。
【０２１８】
次に、広告情報取得部１１０８は、図９の広告管理情報から、中継識別情報「２０２．１４．２５．３０３」が対応付いている「ＩＤ＝０１３」の表示広告情報「ａｄｓ−ｂｉｇ−Ｃ．ｊｐｇ」を取得する。当該表示広告情報は、表示広告情報を識別する広告識別情報である。従って、広告情報取得部１１０８は、具体的には、当該広告識別情報により識別される表示広告情報を取得する。
【０２１９】
次に、送信部１１１５は、広告情報取得部１１０８が取得した表示広告情報を、中継識別情報「２０２．１４．２５．３０３」により識別されるアクセスポイントＣに送信する。
【０２２０】
次に、アクセスポイントＣの中継受信部１２０２は、表示広告情報「ａｄｓ−ｂｉｇ−Ｃ．ｊｐｇ」を受信する。そして、アクセスポイントＣの中継送信部１２０３は、当該表示広告情報を、サイネージディスプレイＣに送信する。
【０２２１】
次に、サイネージディスプレイＣの表示受信部１４０１は、表示広告情報「ａｄｓ−ｂｉｇ−Ｃ．ｊｐｇ」を受信する。そして、サイネージディスプレイＣの表示出力部１４０２は、当該表示広告情報を出力する。
【０２２２】
なお、上記の例において、スマホの端末出力部１３０４が広告情報を出力し、サイネージディスプレイの表示出力部１４０２が表示広告情報を出力している様子は、例えば、図１４である。図１４において、端末出力部１３０４には、サイネージディスプレイに表示されている広告の縮小版の広告が表示されている。
【０２２３】
（例６）
本例において、広告情報の送信回数に応じた広告情報の取得、および当該広告情報の送信の例について説明する。なお、本例において、広告管理情報格納部１１０１には、図１５に示す広告管理情報が格納されている。当該広告管理情報は、図９の広告管理情報に加え、送信回数条件を有する。また、例１などにおいて説明済みである例については、適宜、説明を省略するものとする。
【０２２４】
まず、例１と同様に、スマホを所持しているユーザが、アクセスポイントＢの通信エリア内に侵入したとする。当該スマホの端末識別情報格納部１３０１には、端末識別情報であるＭＡＣアドレス「００：１１：２２：３３：４４：５５」が格納されているものとする。また、当該アクセスポイントＢの中継識別情報格納部１２０１には、中継識別情報であるＩＰアドレス「２０２．１４．２５．３０１」が格納されているものとする。
【０２２５】
次に、アクセスポイントＢの中継送信部１２０３は、端末識別情報「００：１１：２２：３３：４４：５５」と、中継識別情報「２０２．１４．２５．３０１」とを、サーバ装置１１に送信する。
【０２２６】
次に、サーバ装置１１の受信部１１０７は、端末識別情報「００：１１：２２：３３：４４：５５」と、中継識別情報「２０２．１４．２５．３０１」とを、アクセスポイントＢから受信する。
【０２２７】
次に、広告情報取得部１１０８は、端末識別情報「００：１１：２２：３３：４４：５５」に対応する送信回数を、送信回数管理情報格納部１１０４から取得する。ここで、当該送信回数は、「０」であるものとする。
【０２２８】
次に、広告情報取得部１１０８は、図１５の広告管理情報のうち、「ＩＤ＝０１１」の広告管理情報について、中継識別情報「２０２．１４．２５．３０１」と、送信回数「０」が合致する送信回数条件「送信回数＝０」とを有すると判断する。そして、広告情報取得部１１０８は、当該図１５の「ＩＤ＝０１１」の広告情報「ａｄｓ−ｓｍａｌｌ−Ａ１．ｊｐｇ」を取得する。
【０２２９】
次に、送信部１１１５は、広告情報「ａｄｓ−ｓｍａｌｌ−Ａ１．ｊｐｇ」を、アクセスポイントＢに送信する。また、送信回数管理情報蓄積部１１１２は、端末識別情報「００：１１：２２：３３：４４：５５」と送信回数「１」とが対応付いた送信回数管理情報を、送信回数管理情報格納部１１０４に蓄積する。
【０２３０】
次に、スマホの端末受信部１３０３は、広告情報「ａｄｓ−ｓｍａｌｌ−Ａ１．ｊｐｇ」をアクセスポイントＢから受信する。そして、端末出力部１３０４は、当該広告情報を出力する。
【０２３１】
次に、スマホを所持しているユーザが、アクセスポイントＢの通信エリア外に移動し、その後、アクセスポイントＤの通信エリア内に侵入したとする。当該アクセスポイントＤの中継識別情報格納部１２０１には、中継識別情報であるＩＰアドレス「２０２．１４．２５．３０２」が格納されているものとする。
【０２３２】
次に、アクセスポイントＤの中継送信部１２０３は、端末識別情報「００：１１：２２：３３：４４：５５」と、中継識別情報「２０２．１４．２５．３０２」とを、サーバ装置１１に送信する。
【０２３３】
次に、サーバ装置１１の受信部１１０７は、端末識別情報「００：１１：２２：３３：４４：５５」と、中継識別情報「２０２．１４．２５．３０２」とを、アクセスポイントＤから受信する。
【０２３４】
次に、広告情報取得部１１０８は、端末識別情報「００：１１：２２：３３：４４：５５」に対応する送信回数「１」を、送信回数管理情報格納部１１０４から取得する。
【０２３５】
次に、広告情報取得部１１０８は、図１５の広告管理情報のうち、「ＩＤ＝０１５」の広告管理情報について、中継識別情報「２０２．１４．２５．３０２」と、送信回数「１」が合致する送信回数条件「送信回数＝１」とを有すると判断する。そして、広告情報取得部１１０８は、当該図１５の「ＩＤ＝０１５」の広告情報「ａｄｓ−ｓｍａｌｌ−Ａ２．ｊｐｇ」を取得する。
【０２３６】
次に、送信部１１１５は、広告情報「ａｄｓ−ｓｍａｌｌ−Ａ２．ｊｐｇ」を、アクセスポイントＤに送信する。また、送信回数管理情報蓄積部１１１２は、端末識別情報「００：１１：２２：３３：４４：５５」と送信回数「２」とが対応付いた送信回数管理情報を、送信回数管理情報格納部１１０４に蓄積する。
【０２３７】
次に、スマホの端末受信部１３０３は、広告情報「ａｄｓ−ｓｍａｌｌ−Ａ２．ｊｐｇ」をアクセスポイントＤから受信する。そして、端末出力部１３０４は、当該広告情報を出力する。
【０２３８】
次に、スマホを所持しているユーザが、アクセスポイントＤの通信エリア外に移動し、その後、アクセスポイントＦの通信エリア内に侵入したとする。当該アクセスポイントＦの中継識別情報格納部１２０１には、中継識別情報であるＩＰアドレス「２０２．１４．２５．３０３」が格納されているものとする。
【０２３９】
次に、アクセスポイントＦの中継送信部１２０３は、端末識別情報「００：１１：２２：３３：４４：５５」と、中継識別情報「２０２．１４．２５．３０３」とを、サーバ装置１１に送信する。
【０２４０】
次に、サーバ装置１１の受信部１１０７は、端末識別情報「００：１１：２２：３３：４４：５５」と、中継識別情報「２０２．１４．２５．３０３」とを、アクセスポイントＦから受信する。
【０２４１】
次に、広告情報取得部１１０８は、端末識別情報「００：１１：２２：３３：４４：５５」に対応する送信回数「２」を、送信回数管理情報格納部１１０４から取得する。
【０２４２】
次に、広告情報取得部１１０８は、図１５の広告管理情報のうち、「ＩＤ＝０１９」の広告管理情報について、中継識別情報「２０２．１４．２５．３０３」と、送信回数「２」が合致する送信回数条件「送信回数≧２」とを有すると判断する。そして、広告情報取得部１１０８は、当該図１５の「ＩＤ＝０１９」の広告情報「ａｄｓ−ｓｍａｌｌ−Ａ３．ｊｐｇ」を取得する。
【０２４３】
次に、送信部１１１５は、広告情報「ａｄｓ−ｓｍａｌｌ−Ａ３．ｊｐｇ」を、アクセスポイントＦに送信する。また、送信回数管理情報蓄積部１１１２は、端末識別情報「００：１１：２２：３３：４４：５５」と送信回数「３」とが対応付いた送信回数管理情報を、送信回数管理情報格納部１１０４に蓄積する。
【０２４４】
次に、スマホの端末受信部１３０３は、広告情報「ａｄｓ−ｓｍａｌｌ−Ａ３．ｊｐｇ」をアクセスポイントＦから受信する。そして、端末出力部１３０４は、当該広告情報を出力する。
【０２４５】
以上、スマホを所持しているユーザが移動する様子、当該スマホが広告情報を受信する様子などを示すイメージ図は、例えば、図１６である。
【０２４６】
以上、本実施の形態による広告配信システム１によれば、例えば、広告表示媒体（表示装置１４）に表示される表示広告と、携帯端末装置１３に表示される携帯広告とが関連していることにより、広告表示媒体と携帯端末装置とを用いて、広告の効果を向上させることができる。つまり、これにより、広告の相乗効果を生むことができる。
【０２４７】
また、本実施の形態による広告配信システム１によれば、例えば、広告情報を携帯端末装置１３に送信した回数に応じて、異なる広告情報を携帯端末装置１３に送信することにより、広告の効果をさらに向上させることができる。
【０２４８】
また、本実施の形態による広告配信システム１によれば、例えば、ユーザに広告を配信した回数や、当該広告の配信に応じてユーザが訪問場所を訪問した回数、ユーザが訪問場所を訪問するまでの経路、コンバージョン率などを把握し、かつ、これらを利用することができる。
【０２４９】
なお、本実施の形態において、１以上の中継装置１２は、例えば、広告表示媒体に対応付いている中継装置１２もあれば、広告表示媒体に対応付いていない中継装置１２もある。また、当該広告表示媒体は、例えば、ポスターやパネルなどの場合もあれば、表示装置１４の場合もある。
【０２５０】
また、本実施の形態において、広告情報取得部１１０８は、受信中継識別情報に対応する広告情報を取得できる場合もあれば、当該中継識別情報に対応する広告情報を取得できない場合もある。中継識別情報に対応する広告情報を取得できない場合は、例えば、受信部１１０７が、広告表示媒体に対応付いていない中継装置１２から中継識別情報を受信した場合などである。
【０２５１】
また、本実施の形態において、経路情報蓄積部１１１１は、一の端末識別情報が対応付いた経路情報の蓄積を、例えば、受信部１１０７が端末識別情報と中継識別情報とを受信し、かつ、広告情報取得部１１０８が当該中継識別情報に対応する広告情報を取得した場合に開始してもよい。また、経路情報蓄積部１１１１は、一の端末識別情報が対応付いた経路情報の蓄積を、例えば、訪問判断部１１１０が、広告情報の受信に応じてユーザが訪問場所を訪問したと判断した場合に終了してもよい。つまり、経路情報蓄積部１１１１は、通常、ユーザが所持している携帯端末装置１３が広告情報を受信してから、当該広告情報の受信に応じてユーザが訪問場所を訪問するまでの間、当該携帯端末装置１３を識別する端末識別情報と共に受信部１１０７が受信した中継識別情報を、当該端末識別情報に対応する経路情報として蓄積する、ということである。
【０２５２】
また、上記各実施の形態において、一の装置に存在する２以上の通信手段は、物理的に一の媒体で実現されてもよいことは言うまでもない。
【０２５３】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０２５４】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０２５５】
また、上記各実施の形態におけるサーバ装置を実現するソフトウェアは、例えば、以下のようなプログラムである。つまり、このプログラムは、中継装置を識別する情報である中継識別情報と、携帯端末装置が表示し得る広告の情報である１以上の広告情報とが対応付いた情報である１以上の広告管理情報が格納される広告管理情報格納部にアクセス可能なコンピュータを、中継識別情報を、中継装置から受信する受信部と、前記受信部が受信した中継識別情報に対応する広告情報を、前記広告管理情報格納部から取得する広告情報取得部と、前記広告情報取得部が取得した広告情報を、前記受信部が受信した中継識別情報により識別される中継装置に送信する送信部として機能させるためのプログラムである。
【０２５６】
また、上記各実施の形態における中継装置を実現するソフトウェアは、例えば、以下のようなプログラムである。つまり、このプログラムは、中継識別情報が格納される中継識別情報格納部にアクセス可能なコンピュータを、携帯端末装置から、携帯端末装置を識別する情報である端末識別情報を受信し、かつ、中継識別情報の送信に応じて、サーバ装置から、広告情報を受信する中継受信部と、前記中継受信部による端末識別情報の受信に応じて、前記中継識別情報格納部に格納されている中継識別情報を、サーバ装置に送信し、かつ、前記中継受信部が受信した広告情報を、端末識別情報を送信した携帯端末装置に送信する中継送信部として機能させるためのプログラムである。
【０２５７】
また、上記各実施の形態における携帯端末装置を実現するソフトウェアは、例えば、以下のようなプログラムである。つまり、このプログラムは、端末識別情報が格納される端末識別情報格納部にアクセス可能なコンピュータを、前記端末識別情報を、中継装置に送信する端末送信部と、前記端末送信部による端末識別情報の送信に応じて、中継装置から、広告情報を受信する端末受信部と、前記端末受信部が受信した広告情報を出力する端末出力部として機能させるためのプログラムである。
【０２５８】
また、上記各実施の形態における表示装置を実現するソフトウェアは、例えば、以下のようなプログラムである。つまり、このプログラムは、コンピュータを、対応する中継装置から表示広告情報を受信する表示受信部と、前記表示受信部が受信した表示広告情報を出力する表示出力部として機能させるためのプログラムである。
【０２５９】
なお、上記プログラムにおいて、上記プログラムが実現する機能には、ハードウェアでしか実現できない機能は含まれない。
【０２６０】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０２６１】
また、上記プログラムを実行するコンピュータは、単数であってもよいし、複数であってもよい。つまり、集中処理を行ってもよいし、あるいは分散処理を行ってもよい。
【０２６２】
また、図１７は、前述のプログラムを実行して、前述の実施の形態のサーバ装置等を実現するコンピュータシステム９の概観図である。前述の実施の形態は、コンピュータハードウェア、およびその上で実行されるコンピュータプログラムで実現され得る。
【０２６３】
図１７において、コンピュータシステム９は、ＣＤ−ＲＯＭドライブ９０１１を含むコンピュータ９０１と、キーボード９０２と、マウス９０３と、モニタ９０４とを備える。
【０２６４】
図１８は、コンピュータシステム９のブロック図である。図１８において、コンピュータ９０１は、ＣＤ−ＲＯＭドライブ９０１１に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、およびデータを記憶するためのハードディスク９０１５と、ＣＤ−ＲＯＭドライブ９０１１、ＭＰＵ９０１２等を相互に接続するバス９０１６とを備える。ここでは図示しないが、コンピュータ９０１は、さらに、ＬＡＮへの接続を提供するネットワークカードを備えていてもよい。
【０２６５】
コンピュータシステム９に、前述の実施の形態のサーバ装置等の機能を実行させるプログラムは、ＣＤ−ＲＯＭ９１０１に記憶されて、ＣＤ−ＲＯＭドライブ９０１１に挿入され、さらにハードディスク９０１５に転送されてもよい。これに代えて、プログラムは、図示しないネットワークを介してコンピュータ９０１に送信され、ハードディスク９０１５に記憶されてもよい。プログラムは実行の際にＲＡＭ９０１４にロードされる。プログラムは、ＣＤ−ＲＯＭ９１０１またはネットワークから直接、ロードされてもよい。
【０２６６】
プログラムは、コンピュータ９０１に、前述の実施の形態のサーバ装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０２６７】
本発明は、以上の実施の形態に限定されることなく、種々の変更が可能であり、それらも本発明の範囲内に包含されるものであることは言うまでもない。
【産業上の利用可能性】
【０２６８】
以上のように、本発明にかかるサーバ装置は、広告の効果を向上させることができるという効果を有し、例えば、広告効果を測定するサーバ装置等として有用である。
【符号の説明】
【０２６９】
１  広告配信システム
１１  サーバ装置
１２  中継装置
１３  携帯端末装置
１４  表示装置
１１０１  広告管理情報格納部
１１０２  訪問管理情報格納部
１１０３  経路情報格納部
１１０４  送信回数管理情報格納部
１１０５  訪問回数管理情報格納部
１１０６  時刻情報取得部
１１０７  受信部
１１０８  広告情報取得部
１１０９  訪問管理情報蓄積部
１１１０  訪問判断部
１１１１  経路情報蓄積部
１１１２  送信回数管理情報蓄積部
１１１３  訪問回数管理情報蓄積部
１１１４  コンバージョン率算出部
１１１５  送信部
１１１６  処理部
１２０１  中継識別情報格納部
１２０２  中継受信部
１２０３  中継送信部
１３０１  端末識別情報格納部
１３０２  端末送信部
１３０３  端末受信部
１３０４  端末出力部
１４０１  表示受信部
１４０２  表示出力部
【図１】
2015090392.tif 000003
【図２】
2015090392.tif 000004
【図３】
2015090392.tif 000005
【図４】
2015090392.tif 000006
【図５】
2015090392.tif 000007
【図６】
2015090392.tif 000008
【図７】
2015090392.tif 000009
【図８】
2015090392.tif 000010
【図９】
2015090392.tif 000011
【図１０】
2015090392.tif 000012
【図１１】
2015090392.tif 000013
【図１２】
2015090392.tif 000014
【図１３】
2015090392.tif 000015
【図１４】
2015090392.tif 000016
【図１５】
2015090392.tif 000017
【図１６】
2015090392.tif 000018
【図１７】
2015090392.tif 000019
【図１８】
2015090392.tif 000020